(57)【要約】【課題】適切な装置で通知を行えるようにする。【解決手段】イベントの発生を検知した場合、イベントを通知するのに適した装置を検索する検索部と、検索部により検索された装置に、通知する内容を供給する供給部とを備える。またイベントの発生を検知した装置から、プライバシー情報の表示に係わる第１の条件とユーザが通知に気が付くか否かに係わる第２の条件を含む第３の条件を受信する受信部と、第３の条件を満たすと判断した場合、第３の条件を満たす度合いを表すスコアを、装置に対して送信する送信部と、装置から、通知する内容を受信した場合、ユーザに対する通知を行う通知部を備える。本技術は、テレビジョン受像機や携帯端末装置に適用できる。【選択図】図５
2015194803.tif 000002
【特許請求の範囲】
【請求項１】
イベントの発生を検知した場合、前記イベントを通知するのに適した装置を検索する検索部と、
前記検索部により検索された装置に、通知する内容を供給する供給部と
を備える情報処理装置。
【請求項２】
前記検索部は、プライバシー情報を表示できる状態にあり、ユーザが前記通知に気が付く可能性が高い装置を検索する
請求項１に記載の情報処理装置。
【請求項３】
前記検索部は、プライバシー情報の表示に係わる第１の条件とユーザが通知に気が付くか否かに係わる第２の条件を含む第３の条件を満たす場合には応答するという応答要求を検索対象となる装置に出し、
前記応答要求に対して応答してきた装置のなかから、前記第３の条件を満たすスコアが最も高い装置を、前記イベントを通知するのに適した装置として設定する
請求項１に記載の情報処理装置。
【請求項４】
前記第３の条件は、前記第１の条件と前記第２の条件の組み合わせにより複数設定されており、好ましい条件から優先度を割り当て、その優先度が高い順に、前記装置に応答要求を出し、
応答してきた装置がなかった場合、次の優先度の第３の条件で、応答要求を出す
請求項３に記載の情報処理装置。
【請求項５】
前記応答要求には、通知対象のユーザを特定するための情報も含まれる
請求項３に記載の情報処理装置。
【請求項６】
前記検索部は、通知対象のユーザを特定するための情報を検索対象となる装置に送信し、
前記装置から、プライバシー情報の表示に係わる第１の条件とユーザが通知に気が付くか否かに係わる第２の条件を含む条件を満たす度合いを表すスコアを受信し、
前記スコアが最も高い装置を、前記イベントを通知するのに適した装置として設定する
請求項１に記載の情報処理装置。
【請求項７】
前記検索部は、通知を行うことができるか否かの応答を要求する応答要求を、検索対象となる装置に出し、
前記応答要求に対して応答してきた装置に対して、プライバシー情報の表示に係わる第１の条件とユーザが通知に気が付くか否かに係わる第２の条件を含む条件を満たす度合いを表すスコアが書き込まれた表を受信し、
通知対象となるユーザに対する前記スコアが最も高い装置を、前記表を参照して検索し、前記イベントを通知するのに適した装置として設定する
請求項１に記載の情報処理装置。
【請求項８】
前記検索部は、検索された装置が、表示できる情報量に制約のある装置であった場合、さらに他の装置を検索し、
前記供給部は、複数の装置にそれぞれ通知する内容を供給する
請求項１に記載の情報処理装置。
【請求項９】
イベントの発生を検知した場合、前記イベントを通知するのに適した装置を検索し、
検索された装置に、通知する内容を供給する
ステップを含む情報処理方法。
【請求項１０】
イベントの発生を検知した場合、前記イベントを通知するのに適した装置を検索し、
検索された装置に、通知する内容を供給する
ステップを含む処理をコンピュータに実行させるためのコンピュータ読み取り可能なプログラム。
【請求項１１】
イベントの発生を検知した装置から、プライバシー情報の表示に係わる第１の条件とユーザが通知に気が付くか否かに係わる第２の条件を含む第３の条件を受信する受信部と、
前記第３の条件を満たすと判断した場合、前記第３の条件を満たす度合いを表すスコアを、前記装置に対して送信する送信部と、
前記装置から、通知する内容を受信した場合、ユーザに対する通知を行う通知部と
を備える情報処理装置。
【請求項１２】
前記スコアは、プライバシー情報を表示できるか否かの度合いを表すスコアと、通知対象のユーザが前記通知に気が付く可能性の度合いを表すスコアを少なくとも含む
請求項１１に記載の情報処理装置。
【請求項１３】
前記受信部は、前記第３の条件は、前記第１の条件と前記第２の条件の組み合わせにより複数設定されており、好ましい条件から優先度が割り当てられており、その優先度が高い順に出された第３の条件を受信し、
応答した装置がなかった場合、次の優先度で出された第３の条件を再度受信する
請求項１１に記載の情報処理装置。
【請求項１４】
イベントの発生を検知した装置から、プライバシー情報の表示に係わる第１の条件とユーザが通知に気が付くか否かに係わる第２の条件を含む第３の条件を受信し、
前記第３の条件を満たすと判断した場合、前記第３の条件を満たす度合いを表すスコアを、前記装置に対して送信し、
前記装置から、通知する内容を受信した場合、ユーザに対する通知を行う
ステップを含む情報処理方法。
【請求項１５】
イベントの発生を検知した装置から、プライバシー情報の表示に係わる第１の条件とユーザが通知に気が付くか否かに係わる第２の条件を含む第３の条件を受信し、
前記第３の条件を満たすと判断した場合、前記第３の条件を満たす度合いを表すスコアを、前記装置に対して送信し、
前記装置から、通知する内容を受信した場合、ユーザに対する通知を行う
ステップを含む処理をコンピュータに実行させるためのコンピュータ読み取り可能なプログラム。
【請求項１６】
イベントの発生を検知した装置から、前記イベントの発生を通知するユーザを特定するための情報を受信する受信部と、
プライバシー情報の表示に係わる第１の条件と、前記情報で特定されるユーザが通知に気が付くか否かに係わる第２の条件を満たす度合いをそれぞれ算出する算出部と、
前記算出部により算出されたスコアを送信する送信部と、
前記装置から、通知する内容を受信した場合、ユーザに対する通知を行う通知部と
を備える情報処理装置。
【請求項１７】
イベントの発生を検知した装置から、前記イベントの発生を通知するユーザを特定するための情報を受信し、
プライバシー情報の表示に係わる第１の条件と、前記情報で特定されるユーザが通知に気が付くか否かに係わる第２の条件を満たす度合いをそれぞれ算出し、
算出されたスコアを送信し、
前記装置から、通知する内容を受信した場合、ユーザに対する通知を行う
ステップを含む情報処理方法。
【請求項１８】
イベントの発生を検知した装置から、前記イベントの発生の通知を行うことができるか否かの応答要求を受信する受信部と、
前記通知を行うことができる場合、前記応答要求に対して応答する応答部と、
前記応答の結果、プライバシー情報の表示に係わる第１の条件と、所定のユーザが通知に気が付くか否かに係わる第２の条件を満たす度合いをそれぞれ算出したスコアが書き込まれた表を作成する作成部と、
前記作成部により作成された前記表を前記装置に対して送信する送信部と、
前記装置から、通知する内容を受信した場合、ユーザに対する通知を行う通知部と
を備える情報処理装置。
【請求項１９】
イベントの発生を検知した装置から、前記イベントの発生の通知を行うことができるか否かの応答要求を受信し、
前記通知を行うことができる場合、前記応答要求に対して応答し、
前記応答の結果、プライバシー情報の表示に係わる第１の条件と、所定のユーザが通知に気が付くか否かに係わる第２の条件を満たす度合いをそれぞれ算出したスコアが書き込まれた表を作成し、
作成された前記表を前記装置に対して送信し、
前記装置から、通知する内容を受信した場合、ユーザに対する通知を行う
ステップを含む情報処理方法。
【請求項２０】
イベントの発生を検知した装置から、前記イベントの発生の通知を行うことができるか否かの応答要求を受信し、
前記通知を行うことができる場合、前記応答要求に対して応答し、
前記応答の結果、プライバシー情報の表示に係わる第１の条件と、所定のユーザが通知に気が付くか否かに係わる第２の条件を満たす度合いをそれぞれ算出したスコアが書き込まれた表を作成し、
作成された前記表を前記装置に対して送信し、
前記装置から、通知する内容を受信した場合、ユーザに対する通知を行う
ステップを含む処理をコンピュータに実行させるためのコンピュータ読み取り可能なプログラム。
【発明の詳細な説明】
【技術分野】
【０００１】
本技術は、情報処理装置、情報処理方法、並びにプログラムに関する。詳しくは、所定のイベントが発生したとき、そのイベントの発生を適切な装置でユーザに通知する情報処理装置、情報処理方法、並びにプログラムに関する。
【背景技術】
【０００２】
電子メールが普及し、そのような電子メールを受信できる端末も普及している。電子メールが受信されたことをユーザに通知する機能を有する端末もある。
【０００３】
特許文献１には、所定の端末に設定されているメールアドレス宛にメールが受信された場合に、予め設定されている装置で、メールが受信されたことを通知する表示が行われることについての開示がある。
【０００４】
特許文献２には、メールが受信されたことを通知するユーザの近傍に、通知するユーザ以外の人が居ると判断されるときには、プライバシーに配慮した表示を行うことが開示されている。
【０００５】
特許文献３、特許文献４には、自動車電話において、同乗者の有無により、電話の発信先を表示するか否かの判断を行うことについての開示がある。
【先行技術文献】
【特許文献】
【０００６】
【特許文献１】特開平５−２４１９９２号公報
【特許文献２】特開２００８−２７０９１２号公報
【特許文献３】特開２００５−２３６６１５号公報
【特許文献４】特開２００３−４６６３５号公報
【発明の概要】
【発明が解決しようとする課題】
【０００７】
特許文献１においては、予め設定されている装置で通知の表示がされるため、例えば、テレビジョン受像機が、通知の表示を行う装置として設定されている場合、メールを受信したといったような通知が、テレビジョン受像機に表示される。
【０００８】
このような場合、テレビジョン受像機を、複数のユーザが視聴していると、通知対象とされたユーザ以外のユーザに対しても、そのような通知がされてしまい、プライバシーが保たれない可能性があった。
【０００９】
特許文献２乃至４においては、プライバシーを保った通知を行うことは可能であるが、例えば、発信者や件名といった情報をユーザに提示しなければ、ユーザは、緊急性のあるメールであるのか否かなどの判断がつかず、提示する情報として適切ではない可能性がある。
【００１０】
本技術は、このような状況に鑑みてなされたものであり、プライバシーを保護し、適切な装置でユーザに所定のイベントの発生を通知することができるようにするものである。
【課題を解決するための手段】
【００１１】
本技術の一側面の第１の情報処理装置は、イベントの発生を検知した場合、前記イベントを通知するのに適した装置を検索する検索部と、前記検索部により検索された装置に、通知する内容を供給する供給部とを備える。
【００１２】
前記検索部は、プライバシー情報を表示できる状態にあり、ユーザが前記通知に気が付く可能性が高い装置を検索するようにすることができる。
【００１３】
前記検索部は、プライバシー情報の表示に係わる第１の条件とユーザが通知に気が付くか否かに係わる第２の条件を含む第３の条件を満たす場合には応答するという応答要求を検索対象となる装置に出し、前記応答要求に対して応答してきた装置のなかから、前記第３の条件を満たすスコアが最も高い装置を、前記イベントを通知するのに適した装置として設定するようにすることができる。
【００１４】
前記第３の条件は、前記第１の条件と前記第２の条件の組み合わせにより複数設定されており、好ましい条件から優先度を割り当て、その優先度が高い順に、前記装置に応答要求を出し、応答してきた装置がなかった場合、次の優先度の第３の条件で、応答要求を出すようにすることができる。
【００１５】
前記応答要求には、通知対象のユーザを特定するための情報も含まれるようにすることができる。
【００１６】
前記検索部は、通知対象のユーザを特定するための情報を検索対象となる装置に送信し、前記装置から、プライバシー情報の表示に係わる第１の条件とユーザが通知に気が付くか否かに係わる第２の条件を含む条件を満たす度合いを表すスコアを受信し、前記スコアが最も高い装置を、前記イベントを通知するのに適した装置として設定するようにすることができる。
【００１７】
前記検索部は、通知を行うことができるか否かの応答を要求する応答要求を、検索対象となる装置に出し、前記応答要求に対して応答してきた装置に対して、プライバシー情報の表示に係わる第１の条件とユーザが通知に気が付くか否かに係わる第２の条件を含む条件を満たす度合いを表すスコアが書き込まれた表を受信し、通知対象となるユーザに対する前記スコアが最も高い装置を、前記表を参照して検索し、前記イベントを通知するのに適した装置として設定するようにすることができる。
【００１８】
前記検索部は、検索された装置が、表示できる情報量に制約のある装置であった場合、さらに他の装置を検索し、前記供給部は、複数の装置にそれぞれ通知する内容を供給するようにすることができる。
【００１９】
本技術の一側面の第１の情報処理方法は、イベントの発生を検知した場合、前記イベントを通知するのに適した装置を検索し、検索された装置に、通知する内容を供給するステップを含む。
【００２０】
本技術の一側面の第１のプログラムは、イベントの発生を検知した場合、前記イベントを通知するのに適した装置を検索し、検索された装置に、通知する内容を供給するステップを含む処理をコンピュータに実行させるためのコンピュータ読み取り可能なプログラムである。
【００２１】
本技術の一側面の第１の情報処理装置、情報処理方法、並びにプログラムにおいては、イベントの発生が検知されると、イベントを通知するのに適した装置が検索され、検索された装置に、通知する内容が供給される。
【００２２】
本技術の一側面の第２の情報処理装置は、イベントの発生を検知した装置から、プライバシー情報の表示に係わる第１の条件とユーザが通知に気が付くか否かに係わる第２の条件を含む第３の条件を受信する受信部と、前記第３の条件を満たすと判断した場合、前記第３の条件を満たす度合いを表すスコアを、前記装置に対して送信する送信部と、前記装置から、通知する内容を受信した場合、ユーザに対する通知を行う通知部とを備える。
【００２３】
前記スコアは、プライバシー情報を表示できるか否かの度合いを表すスコアと、通知対象のユーザが前記通知に気が付く可能性の度合いを表すスコアを少なくとも含むようにすることができる。
【００２４】
前記受信部は、前記第３の条件は、前記第１の条件と前記第２の条件の組み合わせにより複数設定されており、好ましい条件から優先度が割り当てられており、その優先度が高い順に出された第３の条件を受信し、応答した装置がなかった場合、次の優先度で出された第３の条件を再度受信するようにすることができる。
【００２５】
本技術の一側面の第２の情報処理方法は、イベントの発生を検知した装置から、プライバシー情報の表示に係わる第１の条件とユーザが通知に気が付くか否かに係わる第２の条件を含む第３の条件を受信し、前記第３の条件を満たすと判断した場合、前記第３の条件を満たす度合いを表すスコアを、前記装置に対して送信し、前記装置から、通知する内容を受信した場合、ユーザに対する通知を行うステップを含む。
【００２６】
本技術の一側面の第２のプログラムは、イベントの発生を検知した装置から、プライバシー情報の表示に係わる第１の条件とユーザが通知に気が付くか否かに係わる第２の条件を含む第３の条件を受信し、前記第３の条件を満たすと判断した場合、前記第３の条件を満たす度合いを表すスコアを、前記装置に対して送信し、前記装置から、通知する内容を受信した場合、ユーザに対する通知を行うステップを含む処理をコンピュータに実行させるためのコンピュータ読み取り可能なプログラムである。
【００２７】
本技術の一側面の第２の情報処理装置、情報処理方法、並びにプログラムにおいては、イベントの発生を検知した装置から、プライバシー情報の表示に係わる第１の条件とユーザが通知に気が付くか否かに係わる第２の条件を含む第３の条件が受信され、第３の条件を満たすと判断された場合、第３の条件を満たす度合いを表すスコアが送信され、通知する内容が受信された場合、ユーザに対する通知が行われる。
【００２８】
本技術の一側面の第３の情報処理装置は、イベントの発生を検知した装置から、前記イベントの発生を通知するユーザを特定するための情報を受信する受信部と、プライバシー情報の表示に係わる第１の条件と、前記情報で特定されるユーザが通知に気が付くか否かに係わる第２の条件を満たす度合いをそれぞれ算出する算出部と、前記算出部により算出されたスコアを送信する送信部と、前記装置から、通知する内容を受信した場合、ユーザに対する通知を行う通知部とを備える。
【００２９】
本技術の一側面の第３の情報処理方法は、イベントの発生を検知した装置から、前記イベントの発生を通知するユーザを特定するための情報を受信し、プライバシー情報の表示に係わる第１の条件と、前記情報で特定されるユーザが通知に気が付くか否かに係わる第２の条件を満たす度合いをそれぞれ算出し、算出されたスコアを送信し、前記装置から、通知する内容を受信した場合、ユーザに対する通知を行うステップを含む。
【００３０】
本技術の一側面の第３の情報処理装置および情報処理方法においては、イベントの発生を検知した装置から、イベントの発生を通知するユーザを特定するための情報が受信され、プライバシー情報の表示に係わる第１の条件と、情報で特定されるユーザが通知に気が付くか否かに係わる第２の条件を満たす度合いがそれぞれ算出され、算出されたスコアが送信され、通知する内容が受信された場合、ユーザに対する通知が行われる。
【００３１】
本技術の一側面の第４の情報処理装置は、イベントの発生を検知した装置から、前記イベントの発生の通知を行うことができるか否かの応答要求を受信する受信部と、前記通知を行うことができる場合、前記応答要求に対して応答する応答部と、前記応答の結果、プライバシー情報の表示に係わる第１の条件と、所定のユーザが通知に気が付くか否かに係わる第２の条件を満たす度合いをそれぞれ算出したスコアが書き込まれた表を作成する作成部と、前記作成部により作成された前記表を前記装置に対して送信する送信部と、前記装置から、通知する内容を受信した場合、ユーザに対する通知を行う通知部とを備える。
【００３２】
本技術の一側面の第４の情報処理方法は、イベントの発生を検知した装置から、前記イベントの発生の通知を行うことができるか否かの応答要求を受信し、前記通知を行うことができる場合、前記応答要求に対して応答し、前記応答の結果、プライバシー情報の表示に係わる第１の条件と、所定のユーザが通知に気が付くか否かに係わる第２の条件を満たす度合いをそれぞれ算出したスコアが書き込まれた表を作成し、作成された前記表を前記装置に対して送信し、前記装置から、通知する内容を受信した場合、ユーザに対する通知を行うステップを含む。
【００３３】
本技術の一側面の第３のプログラムは、イベントの発生を検知した装置から、前記イベントの発生の通知を行うことができるか否かの応答要求を受信し、前記通知を行うことができる場合、前記応答要求に対して応答し、前記応答の結果、プライバシー情報の表示に係わる第１の条件と、所定のユーザが通知に気が付くか否かに係わる第２の条件を満たす度合いをそれぞれ算出したスコアが書き込まれた表を作成し、作成された前記表を前記装置に対して送信し、前記装置から、通知する内容を受信した場合、ユーザに対する通知を行うステップを含む処理をコンピュータに実行させるためのコンピュータ読み取り可能なプログラムである。
【００３４】
本技術の一側面の第４の情報処理装置および情報処理方法、並びに第３のプログラムにおいては、イベントの発生を検知した装置から、イベントの発生の通知を行うことができるか否かの応答要求が受信され、通知を行うことができる場合、応答要求に対して応答が行われ、応答の結果、プライバシー情報の表示に係わる第１の条件と、所定のユーザが通知に気が付くか否かに係わる第２の条件を満たす度合いがそれぞれ算出されたスコアが書き込まれた表が作成され、作成された表が送信され、通知する内容が受信された場合、ユーザに対する通知が行われる。
【発明の効果】
【００３５】
本技術の一側面によれば、プライバシーを保護し、適切な装置でユーザに所定のイベントの発生を通知することが可能となる。
【００３６】
なお、ここに記載された効果は必ずしも限定されるものではなく、本開示中に記載されたいずれかの効果であってもよい。
【図面の簡単な説明】
【００３７】
【図１】本技術を適用したシステムの一実施の形態の構成を示す図である。
【図２】携帯電話機の構成を示す図である。
【図３】パーソナルコンピュータの構成を示す図である。
【図４】テレビジョン受像機の構成を示す図である。
【図５】携帯電話機の機能を示す図である。
【図６】通知を行うのに適した装置の選択について説明するための図である。
【図７】通知を行うのに適した装置の選択について説明するための図である。
【図８】通知を行うのに適した装置の選択について説明するための図である。
【図９】通知を行うのに適した装置の選択について説明するための図である。
【図１０】通知を行うのに適した装置の選択について説明するための図である。
【図１１】第１の実施の形態におけるシステムの動作について説明するための図である。
【図１２】第１の実施の形態における端末の動作について説明するためのフローチャートである。
【図１３】第１の実施の形態における端末の動作について説明するためのフローチャートである。
【図１４】第２の実施の形態におけるシステムの動作について説明するための図である。
【図１５】第２の実施の形態における端末の動作について説明するためのフローチャートである。
【図１６】第２の実施の形態における端末の動作について説明するためのフローチャートである。
【図１７】第３の実施の形態におけるシステムの動作について説明するための図である。
【図１８】一覧表について説明するための図である。
【図１９】携帯電話機の機能を示す図である。
【図２０】第３の実施の形態における端末の動作について説明するためのフローチャートである。
【図２１】第３の実施の形態における端末の動作について説明するためのフローチャートである。
【図２２】第４の実施の形態における端末の動作について説明するためのフローチャートである。
【発明を実施するための形態】
【００３８】
以下に、本技術を実施するための形態（以下、実施の形態という）について説明する。なお、説明は、以下の順序で行う。
１．システムの構成
２．端末の構成、機能
３．通知の仕方
４．第１の実施の形態におけるシステムの動作
５．第１の実施の形態における端末の動作
６．第２の実施の形態におけるシステムの動作
７．第２の実施の形態における端末の動作
８．第３の実施の形態におけるシステムの動作
９．第３の実施の形態における端末の機能
１０．第３の実施の形態における端末の動作
１１．第４の実施の形態における端末の動作
【００３９】
＜システムの構成＞
図１は、本技術が適用されるシステムの一実施の形態の構成を示す図である。図１に示したシステムは、ネットワーク１０に、クラウドサービス提供装置２１、携帯電話機２２、パーソナルコンピュータ２３、タブレット端末２４、およびテレビジョン受像機２５が接続された構成とされている。
【００４０】
ネットワーク１０は、有線、無線、または有線と無線との組み合わせから構成され、インターネットやＬＡＮ（Local Area Network）などを含むネットワークである。ネットワーク１０を介して接続されているクラウドサービス提供装置２１、携帯電話機２２、パーソナルコンピュータ２３、タブレット端末２４、およびテレビジョン受像機２５は、それぞれデータの授受を行えるように構成されている。
【００４１】
クラウドサービス提供装置２１は、ユーザ側の装置ではなく、所定のサービスを、ネットワーク１０に接続されている装置に提供するための装置である。詳細は後述するが、ここでは、ユーザＩＤなどを管理し、要求があったときに提供する装置であるとする。
【００４２】
携帯電話機２２、パーソナルコンピュータ２３、タブレット端末２４、およびテレビジョン受像機２５は、ユーザ側の端末であり、ユーザが操作する装置である。なおここでは、携帯電話機２２とタブレット端末２４は、ユーザが携帯することができる端末であるとし、パーソナルコンピュータ２３とテレビジョン受像機２５は、基本的に、ユーザの家の所定の位置に設置されている装置であるとして説明を続ける。
【００４３】
＜端末の構成、機能＞
図２は、携帯電話機２２の内部構成を示す図である。携帯電話機２２は、撮像部５１、顔認識部５２、通信部５３、操作部５４、制御部５５、表示部５６、記憶部５７を備える。
【００４４】
撮像部５１は、カメラを含み、ユーザの顔などを撮像する。顔認識部５２は、撮像部５１で撮像された画像内の被写体の顔を認識する。通信部５３は、携帯電話機２２としての電話の機能を実現する通信や、ネットワーク１０を介した他の装置とのデータの授受などの通信を行う。なおここでは、主に、ネットワーク１０を介してデータの授受を行う通信部５３として説明を続ける。
【００４５】
操作部５４は、図示はしないが、例えば数字キーなどを含む複数のキーから構成され、ユーザが文字や数字を入力したり、撮像部５１による撮像を指示したりするときに操作される。制御部５５は、携帯電話機２２内の各部を制御する。表示部５６は、ディスプレイを含む構成とされ、ユーザ側に情報を提示する。記憶部５７は、必要に応じてデータを記憶したり、アプリケーションなどを記憶したりする。
【００４６】
図３は、パーソナルコンピュータ２３の構成を示す図である。パーソナルコンピュータ２３において、ＣＰＵ（Central Processing Unit）１０１、ＲＯＭ（Read Only Memory）１０２、ＲＡＭ（Random Access Memory）１０３は、バス１０４により相互に接続されている。バス１０４には、さらに、入出力インタフェース１０５が接続されている。入出力インタフェース１０５には、入力部１０６、出力部１０７、記憶部１０８、通信部１０９、及びドライブ１１０が接続されている。
【００４７】
入力部１０６は、キーボード、マウス、マイクロフォンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、又は半導体メモリなどのリムーバブルメディア１１１を駆動する。
【００４８】
以上のように構成されるコンピュータでは、ＣＰＵ１０１が、例えば、記憶部１０８に記憶されているプログラムを、入出力インタフェース１０５及びバス１０４を介して、ＲＡＭ１０３にロードして実行することにより、上述した一連の処理が行われる。
【００４９】
ＣＰＵ１０１が実行するプログラムは、例えば、パッケージメディア等としてのリムーバブルメディア１１１に記録して提供することができる。また、プログラムは、ローカルエリアネットワーク、インターネット、デジタル衛星放送といった、有線または無線の伝送媒体を介して提供することができる。
【００５０】
パーソナルコンピュータ２３では、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ＲＯＭ１０２や記憶部１０８に、予めインストールしておくことができる。
【００５１】
タブレット端末２４は、基本的にパーソナルコンピュータ２３と同様の構成を有するため、ここでは、その説明を省略する。また、クラウドサービス提供装置２１は、パーソナルコンピュータ２３で構成することが可能であるため、ここでは、パーソナルコンピュータ２３と同様の構成を有するとし、その説明を省略する。
【００５２】
図３は、テレビジョン受像機２５の内部構成を示す図である。テレビジョン受像機２５は、センサー部１５１、通信部１５２、操作部１５３、制御部１５４、表示部１５５、記憶部１５６を備える。
【００５３】
センサー部１５１は、例えば、テレビジョン受像機２５の前に人が居るか否かを検出するセンサーである。例えば、センサー部１５１により、テレビジョン受像機２５の前に人は居ないと検出されたときには、省電力モードに移行するといったような制御が行われる。
【００５４】
通信部１５２は、ネットワーク１０を介した他の装置とのデータの授受などの通信を行う。操作部１５３は、図示はしないが、例えば数字キーなどを含む複数のキーから構成され、ユーザが視聴したいチャンネル番号を指示したいする際に操作されるリモートコントローラなどから構成されている。
【００５５】
制御部１５４は、テレビジョン受像機２５内の各部を制御する。表示部１５５は、ディスプレイを含む構成とされ、ユーザ側に情報を提示する。記憶部１５６は、必要に応じたデータを記憶したり、アプリケーションなどを記憶したりしている。なお、図示はしていないが、テレビジョン受像機２５は、テレビジョン受像機２５としての機能するための、例えば、チューナなども備えている。
【００５６】
図５は、携帯電話機２２、パーソナルコンピュータ２３、タブレット端末２４、およびテレビジョン受像機２５のそれぞれが有する機能を示す図である。
【００５７】
詳細は後述するが、図１に示したようなシステムにおいて、携帯電話機２２、パーソナルコンピュータ２３、タブレット端末２４、およびテレビジョン受像機２５のうちの１の装置が、例えば、所定のイベントの発生を検出した場合、携帯電話機２２、パーソナルコンピュータ２３、タブレット端末２４、およびテレビジョン受像機２５のうちのいずれかの装置に、イベントの発生をユーザに通知する表示がなされる。
【００５８】
このようなことを実現するために、携帯電話機２２、パーソナルコンピュータ２３、タブレット端末２４、およびテレビジョン受像機２５のそれぞれは、図５に示すような機能を有している。ここでは、図５に示す機能を携帯電話機２２が有している機能として説明を続ける。
【００５９】
携帯電話機２２は、優先度設定部２０１、ユーザ特性情報生成部２０２、応答要求生成部２０３、スコア判定部２０４、表示要求生成部２０５、送受信制御部２０６、マッチング処理部２０７、プライバシー判断部２０８、確実性判断部２０９、および条件判断部２１０を有している。
【００６０】
優先度設定部２０１、ユーザ特性情報生成部２０２、応答要求生成部２０３、スコア判定部２０４、表示要求生成部２０５は、携帯電話機２２が、所定のイベントの発生を検知し、自己または他の装置で、ユーザに対する通知を実行させるための機能である。
【００６１】
マッチング処理部２０７、プライバシー判断部２０８、確実性判断部２０９、および条件判断部２１０は、他の装置が所定のイベントの発生を検知し、携帯電話機２２に、ユーザに対する通知が可能であるか否かの判断を行わせるための情報を生成する機能である。
【００６２】
このように携帯電話機２２は、イベントの発生を検知したときに、その発生を適切な装置でユーザに通知するための処理を行う機能と、自己が表示を行うのに適した装置であるか否かを、イベントの発生を検知した装置に判断させるための情報を生成する機能とを有する。
【００６３】
イベントとは、例えば、電子メールの受信、電話の着信、スケジュールに記載されている予定の時刻になったことを知らせる通知、視聴予約していた番組の開始時間の通知などである。
【００６４】
例えば、携帯電話機２２は、電子メールを受信する機能を有しているため、電子メールを受信したときはイベントの発生を検知した装置として機能し、例えば、テレビジョン受像機２５は、携帯電話機２２からの指示により、自己が通知に適した装置であるか否かの判断を行い、情報を生成する装置として機能する。
【００６５】
また例えば、テレビジョン受像機２５に設定されていた視聴予約されていた番組の開始時間になったときには、テレビジョン受像機２５がイベントの発生を検知した装置となり、例えば、携帯電話機２２は、テレビジョン受像機２５からの指示により、自己が通知に適した装置であるか否かの判断を行い、情報を生成する装置として機能する。
【００６６】
ここで、図６乃至図１０を参照し、適した装置で通知を行うことについて説明を加える。
【００６７】
図６乃至図１０を参照した説明においては、ユーザＡ宛の電子メールが、携帯電話機２２、パーソナルコンピュータ２３、タブレット端末２４、またはテレビジョン受像機２５のいずれかで受信された状況であるとして説明を続ける。
【００６８】
図６は、テレビジョン受像機２５を視聴しているユーザＡと、ユーザＡの近くに、携帯電話機２２がある状況を示している。このような状況のとき、テレビジョン受像機２５の前には、ユーザＡしか居ない状況であるため、テレビジョン受像機２５で電子メールが受信されたことを通知したとしても、ユーザＡのプライバシーは保護される。
【００６９】
また、ユーザＡは、テレビジョン受像機２５を視聴しているため、テレビジョン受像機２５で、電子メールが受信されたことを通知すれば、ユーザＡは、すぐに気付く状態である。
【００７０】
またこの場合、携帯電話機２２は、ユーザＡの近傍にあるが、携帯電話機２２は、画面が小さく、またテレビジョン受像機２５を視聴している状態である場合、仮に、携帯電話機２２で通知を行っても、ユーザＡは、その通知に気付かない可能性がある。
【００７１】
すなわち、図６に示した状況の場合、携帯電話機２２で通知を行うよりも、テレビジョン受像機２５で通知を行った方が、ユーザＡが通知に気付く可能性が高く、かつ、テレビジョン受像機２５で通知を行ってもプライバシーを保護できる状態である。このような状況のときには、テレビジョン受像機２５が、通知に適した装置であると判断され、テレビジョン受像機２５で通知が行われる。
【００７２】
また、プライバシーが保たれる状態であると判断できるため、通知内容としては、プライバシーに係わる情報も表示される。図６に示した例では、“メールを受信しました”というメッセージと共に、“件名：明日の会議について”、“差出人：差出人Ａ”といったプライバシーに係わると考えられる情報も、テレビジョン受像機２５に表示されている。
【００７３】
仮に、図６に示した状況と同じ状況であるが、図７に示したように、携帯電話機２２で通知が行われた場合を考える。このような状況の場合、ユーザＡはテレビジョン受像機２５を視聴しているため、携帯電話機２２での通知に気付かない可能性がある。
【００７４】
よって、図６を参照して説明したように、テレビジョン受像機２５で通知を行うのが、携帯電話機２２で通知を行うよりも、より適切な通知を行うことができると考えられる。また、パーソナルコンピュータ２３や、タブレット端末２４は、ユーザＡの近傍になく、仮に、パーソナルコンピュータ２３や、タブレット端末２４で通知を行ったとしても、その通知にユーザＡが気付く可能性は低い。
【００７５】
例えば、予め電子メールが受信されたときには、タブレット端末２４で通知を行うといったような設定がなされているような場合、通知に気付く可能性が低い装置で通知が行われることになり、結果として、ユーザＡが電子メールが受信されたことに気付かないといったような不都合が発生する可能性が高くなる。
【００７６】
しかしながら、本技術によれば、予め設定されている装置に対して通知を行うのではなく、イベントが発生した時点で、ユーザＡが最も通知に気付く可能性の高い装置を検索し、通知を行うため、上記したような不都合が発生する可能性を低減させることが可能となる。
【００７７】
次に、他の状況について説明する。図８に示した状況は、図６に示した状況と似た状況であるが、ユーザＡとユーザＢがテレビジョン受像機２５を視聴している点が異なる。このような状況のときに、テレビジョン受像機２５で電子メールが受信されたことを通知すると、ユーザＡとユーザＢが、その通知を見ることになる。
【００７８】
このような場合、ユーザＡのプライバシーは、保たれない可能性がある。よって、テレビジョン受像機２５で、通知を行うのは好ましくない状況であると考えられる。そこで、携帯電話機２２が、ユーザＡの近傍にあるため、携帯電話機２２で通知が行われる。
【００７９】
すなわち、図８に示した状況の場合、テレビジョン受像機２５で通知を行うと、プライバシーを保護できない可能性があるため、テレビジョン受像機２５での通知は行わないと判断される。そして、ユーザＡの近傍にある携帯電話機２２で通知すると判断される。携帯電話機２２は、ユーザＡが使用し、また画面も比較的小さいため、仮にプライバシーに係わる情報が表示されたとしても、プライバシーが保たれる可能性は高いと判断される。
【００８０】
このような判断の結果、図８に示したように、プライバシーに係わる“件名”や“差出人”といった情報も含めた通知が、携帯電話機２２でなされる。
【００８１】
次に、他の状況について図９を参照して説明する。図９に示した状況は、図８に示した状況と同じく、ユーザＡとユーザＢがテレビジョン受像機２５を視聴している状態のときに、ユーザＡ宛の電子メールが、携帯電話機２２、パーソナルコンピュータ２３、タブレット端末２４、またはテレビジョン受像機２５のいずれかで受信された状況である。
【００８２】
しかしながら、図９に示した状況では、携帯電話機２２が、例えば、鞄内にあり、ユーザＡの近傍にあっても、ユーザＡが通知に気付きづらい状況である。このような状況のときに、図８を参照して説明したように、携帯電話機２２で通知を行うと、ユーザＡは、その通知に気付かない可能性が高い。
【００８３】
よって、図９に示したように、テレビジョン受像機２５で通知が行われる。しかしながら、ユーザＡとユーザＢでテレビジョン受像機２５を視聴している状態であるため、プライバシーが保たれない可能性がある。そこで、図９に示したように、プライバシーに係わる情報は表示しない通知が行われる。図９に示した例では、“メールを受信しました→ユーザＡ宛”といったメッセージは表示されるが、件名や差出人といった情報は表示されていない。
【００８４】
このように、ユーザが通知に気付く可能性の低い装置での通知は、できるだけ行われないように、通知を行う装置が選択される。
【００８５】
このようなプライバシーに係わる情報を表示しないという通知は、図１０に示したような状況においても行われる。図１０に示した状況は、図８、図９と同じく、ユーザＡとユーザＢがテレビジョン受像機２５を視聴している状態のときに、ユーザＡ宛の電子メールが、携帯電話機２２、パーソナルコンピュータ２３、タブレット端末２４、またはテレビジョン受像機２５のいずれかで受信された状況である。
【００８６】
図１０に示した状況では、ユーザＡの近傍には、タブレット端末２４がある。タブレット端末２４は、携帯電話機２２に比べると画面が大きく、ユーザＡ以外の近傍にいる他のユーザが覗き見るようなことが容易な装置である。
【００８７】
このような状況の場合、タブレット端末２４とテレビジョン受像機２５のどちらに表示しても、プライバシーが保たれない可能性がある。よって、プライバシーに係わる情報を表示しない通知が行われる。
【００８８】
タブレット端末２４とテレビジョン受像機２５を比較したとき、テレビジョン受像機２５を視聴しているという状態と、テレビジョン受像機２５の方が、タブレット端末２４よりも通常画面が大きいことを考えると、テレビジョン受像機２５の方で通知を行った方が、より確実にユーザＡに通知が行えると判断できる。
【００８９】
そこで、図１０に示したように、テレビジョン受像機２５で、プライバシー情報を表示しない通知が行われる。
【００９０】
このように、本技術によれば、所定のイベントが発生したとき、発生したことを通知する装置が適切に選択され、通知が行われるため、ユーザがイベントの発生を確認しそびれるといったようなことが発生する可能性を低くすることが可能となる。また、プライバシーを保護した通知を行うことが可能となる。
【００９１】
＜第１の実施の形態におけるシステムの動作＞
図１に示したシステムにおける動作について、図１１に示したフローチャートを参照して説明する。図１１に示したフローチャートを参照した説明においては、携帯電話機２２がイベントの発生を検知し、そのイベント発生の通知をテレビジョン受像機２５で行う場合を例に挙げて説明する。
【００９２】
携帯電話機２２は、ステップＳ２１において、イベントの発生を検知する。例えば、電子メールが受信されたことをイベントとして検知する。携帯電話機２２は、イベントの発生を検知すると、ステップＳ２２において、ネットワーク１０に接続されている装置に対して、応答要求を出す。
【００９３】
応答要求を出す装置の範囲は、イベントを検出した装置と同一のＬＡＮに存在していると判断される装置、過去にペアリング（紐付け）された実績があり、ネットワーク１０経由で通信可能な装置などである。
【００９４】
図１１に示した例では、携帯電話機２２から、パーソナルコンピュータ２３、タブレット端末２４、およびテレビジョン受像機２５に応答要求が出される。詳細は、図１２のフローチャートを参照して後述するが、携帯電話機２２から出される応答要求には、通知先のユーザに関する情報や、所定の条件（優先度）に関する情報が含まれ、その条件を満たす装置が応答するようにとの指示が含まれる要求である。
【００９５】
このような応答要求は、応答要求を出した装置自身、すなわちこの場合、携帯電話機２２にも出される。これは、携帯電話機２２も、通知を行う装置として適切であるか否かの判断を行うためである。
【００９６】
携帯電話機２２は、自己が出した応答要求を受信し、ステップＳ２３において、応答要求に含まれる条件を満たすか否かを判断する。
【００９７】
パーソナルコンピュータ２３は、ステップＳ３１において、携帯電話機２２からの応答要求を受信し、ステップＳ３２において、応答要求に含まれる条件を満たすか否かを判断する。
【００９８】
タブレット端末２４は、ステップＳ４１において、携帯電話機２２からの応答要求を受信し、ステップＳ４２において、応答要求に含まれる条件を満たすか否かを判断する。
【００９９】
テレビジョン受像機２５は、ステップＳ５１において、携帯電話機２２からの応答要求を受信し、ステップＳ５２において、応答要求に含まれる条件を満たすか否かを判断する。
【０１００】
このように、応答要求を受信した装置は、それぞれ、応答要求に含まれる条件を満たすか否かを判断する。そして、条件を満たすと判断した装置は、応答する。ここでは、条件を満たすとの判断が出された装置は、パーソナルコンピュータ２３とテレビジョン受像機２５であるとする。条件を満たすか否かの判断の詳細については、図１３のフローチャートを参照して後述する。
【０１０１】
パーソナルコンピュータ２３は、ステップＳ３３において、条件を満たすとの判断結果を受け、携帯電話機２２に対して、応答する。応答には、条件を満たす度合いを表すスコアが含まれる。このスコアに関しては、後述するが、ここでは、条件を満たす可能性が高い場合に、高い値のスコアとなるとして説明を続ける。
【０１０２】
同様に、テレビジョン受像機２５は、ステップＳ５３において、条件を満たすとの判断結果を受け、携帯電話機２２に対して、応答する。タブレット端末２４は、条件を満たさないとの判断結果を受け、携帯電話機２２に対する応答は行わない。
【０１０３】
携帯電話機２２は、ステップＳ２４において、パーソナルコンピュータ２３からの応答を受信し、ステップＳ２５において、テレビジョン受像機２５からの応答を受信する。携帯電話機２２は、自己の判断結果も取得している。
【０１０４】
ステップＳ２６において、携帯電話機２２は、受信されたスコアを高い順にソートし、スコアの高い装置を選択する。選択される装置は、図６乃至図１０を参照して説明したように、その時点で、通知を行うのに適した装置であると判断される装置である。
【０１０５】
ここでは、携帯電話機２２のスコア、パーソナルコンピュータ２３のスコア、テレビジョン受像機２５のスコアが取得され、テレビジョン受像機２５のスコアが最も高い値であったとして説明を続ける。このような場合、ステップＳ２６においては、テレビジョン受像機２５が、ユーザに対する通知を行う装置として選択される。
【０１０６】
ステップＳ２７において、携帯電話機２２は、選択した装置に対して、通知表示要求を出す。通知表示要求には、通知する内容、例えば、メールを受信したことを通知するためのメッセージや、プライバシーに関する情報も表示する場合には、件名といった情報も含まれる。
【０１０７】
テレビジョン受像機２５は、ステップＳ５４において、携帯電話機２２からの通知表示要求を受信する。そして、テレビジョン受像機２５は、ステップＳ５５において、携帯電話機２２からの通知表示要求に含まれる情報に基づき、ユーザに対する通知を行う。なお、この通知には、上記したように、画面上にメッセージなどを表示すること以外に、所定の音を出すといった通知も含まれる。
【０１０８】
なお、図１１に示した例では、携帯電話機２２、パーソナルコンピュータ２３、およびテレビジョン受像機２５が、条件を満たし、スコアを算出し、携帯電話機２２に応答するとして説明したが、応答してきた装置が無かった場合、換言すれば、条件を満たす装置が存在しなかった場合、イベントを検出した携帯電話機２２は、条件を変更し、再度、携帯電話機２２、パーソナルコンピュータ２３、タブレット端末２４、およびテレビジョン受像機２５に対して応答要求を出す。
【０１０９】
携帯電話機２２は、応答を受信するまで、条件を変更し、応答要求を出す。このような処理について、図１２のフローチャートを参照して説明する。
【０１１０】
＜第１の実施の形態における端末の動作＞
図１２は、イベントを検知した端末が行う処理について説明するためのフローチャートである。ここでは、イベントを検知した端末は、携帯電話機２２であるとして説明を続ける。
【０１１１】
ステップＳ１０１において、携帯電話機２２は、イベント、例えば、電子メールの受信、予定の開始時刻などを検知する。
【０１１２】
ステップＳ１０２において、優先度設定部２０１（図５）により、優先度Ｎが１に設定される。ここで、優先度について説明する。優先度は、応答要求に含まれる条件であり、この条件を満たす場合には応答を行うという条件である。ここでは、優先度は、１乃至５が設定されているとして説明する。
【０１１３】
(優先度１)   プライバシー情報表示可能、ユーザはすぐに気が付く可能性が高い
(優先度２)   プライバシー情報表示可能、ユーザは若干気が付きにくい恐れがある
(優先度３)   プライバシー情報表示不可能、ユーザはすぐに気が付く可能性が高い
(優先度４)   プライバシー情報表示不可能、ユーザは若干気が付きにくい恐れがある
(優先度５)   プライバシー情報表示可能、ユーザは気が付かない恐れがある
【０１１４】
優先度１乃至５は、このように設定されている。この優先度１乃至５の条件は、一例であり、限定を示すものではない。また、優先度の順位も、この順位に限定されるものではない。例えば、プライバシー情報表示ができることを優先度が高いとし、上記した優先度５を優先度３にするような優先度の設定であっても良い。
【０１１５】
また優先度は、固定されていても良いし、何らか条件により可変するように設定されていても良い。また、ユーザにより、優先度が設定されるようにしても良い。
【０１１６】
ここでは、上記した一例のように優先度１乃至５が設定されており、優先度１から順に、応答要求に含まれて、送信されるとして説明を続ける。このように、優先度に設定されている条件は、プライバシー情報の表示に係わる第１の条件とユーザが通知に気が付くか否かに係わる第２の条件を含む条件とされている。また、第１の条件と第２の条件の組み合わせにより優先度は複数設定されており、好ましい条件から優先度が割り当てられている。
【０１１７】
ステップＳ１０２において、優先度Ｎが優先度１に設定されると、ステップＳ１０３に処理が進められる。ステップＳ１０３において、ユーザ特定情報生成部２０２（図５）により、ユーザ特定情報が生成される。このステップＳ１０３において生成されるユーザ特定情報は、通知を行う対象となるユーザを特定するための情報である。
【０１１８】
例えば、電子メールが受信されたときには、その電子メールの宛先の電子メールアドレスが、ユーザ特定情報とされる。また、顔認識で用いられる顔面の特徴量が取得できる場合には、そのような特徴量でも良い。また、特定のサイトにログインするときのユーザＩＤなどでも良い。このような情報は、検知されたイベントに応じ、その検知されたイベントの情報から、抽出されたり、必要に応じて、クラウドサービス提供装置２１（図１）から取得されたりする。
【０１１９】
ステップＳ１０４において、応答要求生成部２０３（図５）は、優先度Ｎの条件で、応答要求を作成する。この作成される応答要求には、ユーザ特定情報も含まれる。作成された応答要求は、送受信制御部２０６により、各装置に送信される。この場合、パーソナルコンピュータ２３、タブレット端末２４、およびテレビジョン受像機２５に対して、応答要求が送信される。
【０１２０】
ステップＳ１０５において、所定の時間だけ、待機状態とされる。この待機状態は、応答要求を送信した装置からの応答待ちの時間とされる。
【０１２１】
所定の時間だけ経過し、待機状態が解除されると、ステップＳ１０６において、応答要求に対しての返事が届いたか否かが判断される。
【０１２２】
ステップＳ１０６において、応答要求に対する返事は届いていないと判断された場合、ステップＳ１０７に処理が進められる。ステップＳ１０７において、優先度Ｎが、１だけ増加した優先度に変更される。このように、各装置からの返事が無い場合、優先度設定部２０１は、順次、優先度を上げた優先度を設定する。
【０１２３】
ステップＳ１０８において、Ｎは最大値より大きいか否かが判断される。ここでは、優先度Ｎは、優先度５まで設定されているため、Ｎが５よりも大きい値に設定されたか否かが判断される。
【０１２４】
ステップＳ１０８において、Ｎは最大値より大きくはないと判断された場合、ステップＳ１０４に処理が戻され、それ以降の処理が繰り返される。
【０１２５】
一方で、ステップＳ１０８において、Ｎは最大値より大きいと判断された場合、ステップＳ１０９に処理が進められる。ステップＳ１０９において、イベントを検知した装置自身、あるいは、事前に設定されている装置が、ユーザに対する通知を行う装置として選択される。また、この通知は、プライバシー情報を表示しない通知と設定される。
【０１２６】
ステップＳ１０９に処理が来る場合、ユーザがイベントの発生に気付く可能性が高く、プライバシーを保護した状態で通知を行うことができる装置が見つからなかった場合である。このようなときには、イベントを検知した装置自身で、そのイベントの通知を行うか、例えば、ユーザにより予め設定されている装置で通知が行われる。
【０１２７】
ステップＳ１０９において、通知を行う装置が設定されると、ステップＳ１１１に処理が進められる。ステップＳ１１１において、表示要求生成部２０５（図５）により、表示要求が生成される。この場合、ステップＳ１０９からステップＳ１１１に処理が来た場合であるため、表示要求に含まれる情報としては、プライバシー情報は含まれない。
【０１２８】
一方、ステップＳ１０６において、応答要求に対して返事が来たと判断された場合、ステップＳ１１０に処理は進められる。ステップＳ１１０において、スコア判定部２０４（図５）は、返事が来た装置のうちで、スコアの高い装置を検出し、その装置を、通知を行う装置として設定する。通知を行う装置が設定されると、ステップＳ１１１に処理が進められる。
【０１２９】
ステップＳ１１１において、表示要求生成部２０５により、表示要求が生成される。この場合、ステップＳ１１０からステップＳ１１１に処理が来た場合であるため、表示要求に含まれる情報は、返事が来た時点で設定されていた優先度に応じて、プライバシー情報が含まれる、または含まれない情報とされる。
【０１３０】
すなわち、例えば、“プライバシー情報表示可能、ユーザはすぐに気付く可能性が高い“との条件が設定されている優先度１が設定されているときに、返事が来た場合、プライバシー情報を含む表示要求の情報が生成され、スコアが最も高かった装置に対して表示要求が出される。
【０１３１】
このようにしてイベントの発生を検知した装置は、そのイベントの発生をユーザに知らせるのに適した装置を選択するための処理を実行する。
【０１３２】
なお図１２に示したフローチャートにおいては、イベントの発生をユーザに知らせるのに適した装置を選択するための処理について説明したが、イベントの発生を検知した装置自体も、自己が優先度Ｎで設定されている条件を満たすか否かを判断し、スコアを算出する処理を行っている。よって、図１２に示した携帯電話機２２の処理としては、スコアを算出するという処理も含まれ、例えば、ステップＳ１０５の待機状態のときに行われる。
【０１３３】
図１３を参照し、このスコアの算出などについて説明を加える。ここでは、イベントの発生を検知した携帯電話機２２も、スコアを算出する処理を実行するため、換言すれば、ユーザに対する通知を行う装置として選択対象となるため、携帯電話機２２が行う処理として説明を続ける。
【０１３４】
ステップＳ１３１において、イベントの発生を検知した装置からの応答要求が来るのを待つ状態とされる。そして、イベントの発生を検知した装置からの応答要求が受信されると、ステップＳ１３２に処理が進められる。
【０１３５】
ステップＳ１３２において、マッチング処理部２０７（図５）により、通知先ユーザとのマッチングが行われる。例えば、応答要求には、電子メールアドレス、顔の特徴量などの情報が含まれている。電子メールアドレスは、ユーザＩＤとし、そのようなユーザＩＤと顔の特徴量が、応答要求に含まれているのが好ましい。
【０１３６】
ユーザＩＤとしては、電子メールアドレスの他に、所定のサイトにログインするときのユーザＩＤなどでも良い。上記したように、イベントの発生を検知した装置側では、これらのユーザＩＤを取得するのに必要な場合、クラウドサービス提供装置２１にアクセスし、取得し、応答要求の情報として送信してくる。
【０１３７】
マッチング処理部２０７（図５）は、応答要求に含まれるユーザＩＤと顔の特徴量との照合を行い、以下に示すマッチング番号のどの条件に該当するかを判断する。マッチグ番号が低い方が、スコア値は高いとする。
【０１３８】
（マッチング番号１）  ユーザＩＤが一致し、顔の特徴量も一致する
（マッチング番号２）  ユーザＩＤのみが一致し、顔の特徴量が一致するか否かは不明である
（マッチング番号３）  顔の特徴量のみが一致し、ユーザＩＤが一致するか否かは不明である
【０１３９】
なお、ここに示したマッチング番号に設定されている条件、マッチング番号の順番などは、一例であり、限定を示すものではない。例えば、マッチング番号２の条件とマッチング番号３の条件を入れ替えても良い。
【０１４０】
ユーザＩＤが一致する場合、その装置を操作している可能性が高い。例えば、パーソナルコンピュータ２３で、所定のユーザＩＤで、所定のサイトにログインしている状態である場合、パーソナルコンピュータ２３を操作している可能性が高い。
【０１４１】
各端末は、顔の特徴量と一致するか否かを判断するために、ユーザの顔を撮像する機能を有する。例えば、携帯電話機２２は、撮像部５１（図２）を備え、その撮像部５１で、ユーザの顔を撮像し、顔認識部５２（図２）にて、顔の特徴量を算出する。
【０１４２】
このようにして、携帯電話機２２の近傍に居るユーザの顔を撮像し、特徴量が算出できた場合、応答要求に含まれる顔の特徴量とのマッチングが行える。
【０１４３】
しかしながら、例えば、図４に示したような構成を有するテレビジョン受像機２５の場合、人がテレビジョン受像機２５の前に居るか否かはセンサー部１５１からの情報で判断できるが、センサー機能だけでは、人の顔を撮像し、特徴量を算出するのは困難である。このような場合、応答要求に含まれる顔の特徴量とのマッチングが行えないことになる。
【０１４４】
ステップＳ１３２において、マッチング番号１乃至３に設定されている条件のいずれかに合致するか否かの判断するためのマッチングが行われ、そのマッチングの結果が用いられて、ステップＳ１３３における判断が行われる。
【０１４５】
ステップＳ１３３において、通知先ユーザと一致するか否かが判断される。ステップＳ１３３においては、上記したマッチング番号１乃至３として設定されているいずれかの条件を満たすか否かが判断されることにより、通知先ユーザと一致するか否かが判断される。この判断は、装置の近傍に、通知対象となるユーザ本人が居るか否かの判断である。
【０１４６】
ステップＳ１３３において、通知先ユーザと一致しないと判断された場合、換言すれば、マッチング番号１乃至３として設定されているいずれの条件も満たさないと判断された場合、応答要求に対して応答しないため、図１３に示したフローチャートの処理は終了される。
【０１４７】
一方、ステップＳ１３３において、通知先ユーザと一致すると判断された場合、換言すれば、マッチング番号１乃至３として設定されているいずれかの条件を満たすと判断された場合、ステップＳ１３４に処理が進められる。
【０１４８】
ステップＳ１３４において、プライバシー判断部２０８（図５）は、プライバシー情報を表示できるかの判断を行う。プライバシー判断部２０８は、以下に示す表示可能番号のどの条件に該当するかを判断する。表示可能番号が低い方が、スコア値は高いとする。
【０１４９】
（表示可能番号１）  本人以外の顔は検出されず、本人以外の音声も検出されない
（表示可能番号２）  本人以外の顔は検出されないが、本人以外の音声が検出されたか否かは不明である
（表示可能番号３）  本人のＩＤでログインしている装置（顔の検出結果は不明であり、音声の検出結果は不問とする）
【０１５０】
プライバシー情報は、図６乃至図１０を参照して説明したように、通知対象となるユーザ本人のみが、表示を確認する状況であるときには表示し、通知対象となるユーザ本人以外のユーザにも通知が見られてしまうような状況であるときには表示しない。
【０１５１】
表示可能番号１に設定されている条件は、“本人以外の顔が検出されず、本人以外の音声も検出されない”であるが、このような条件が満たされる状況においては、ユーザ本人以外に、その場に居ない可能性が高い。
【０１５２】
表示可能番号２に設定されている条件は、“本人以外の顔は検出されないが、本人以外の音声が検出されたか否かは不明である”であるが、このような状況は、撮像された画像内にはユーザ本人以外は居ないが、撮像されなかった範囲に他のユーザがいる可能性はある。なお条件内の“本人以外の音声が検出されたか否かは不明である”というのは、音声を検出したが、本人以外の音声であるか否かの判断がつけられなかった場合、音声を集音する機能を有していない装置であり、音声によるユーザ確認ができない場合などを含む。
【０１５３】
表示可能番号３に設定されている条件は、“本人のＩＤでログインしている装置”である。例えば、撮像する機能や集音する機能がなく、ユーザの顔を撮像してユーザ確認を行ったり、音声を集音してユーザ確認を行ったりすることができない装置の場合、その装置において、ユーザ本人のＩＤでログインしているか否かが判断されることにより、ユーザ確認が行われるようにすることができる。ここでは、そのようなユーザ確認が行われた結果、ユーザ本人のＩＤでログインしている装置であると判断されたときには、表示可能番号３に該当するとして判断されるとする。
【０１５４】
ステップＳ１３４においては、表示可能番号１乃至３のいずれかに設定されている条件を満たすか否かが判断され、満たすと判断された場合、その満たすと判断された番号に対応するスコアが付与される。
【０１５５】
ステップＳ１３５において、確実性判断部２０９（図５）は、ユーザが確実に通知に気が付くかどうかの判断を行う。確実性判断部２０９は、以下に示す確実性番号のどの条件に該当するかを判断する。確実性番号が低い方が、スコア値は高いとする。
【０１５６】
［ユーザは確実に気が付く］
（確実性番号１−１）  カメラ画像より、ユーザ本人が現在見ている(持続している)
（確実性番号１−２）  カメラ画像より、ユーザ本人が現在見ている(最近のみ)
（確実性番号１−３）  ユーザが現在操作をしている
（確実性番号１−４）  過去の履歴での判断で、ユーザがすぐに気が付くことが多い(通知表示後に、ユーザになんらかのアクションを行うタイプのユーザインタフェースの場合)
【０１５７】
[ユーザは若干気が付きにくい恐れ]
（確実性番号２−１）  ユーザが最近操作をしている
（確実性番号２−２）  過去の履歴での判断で、ユーザは少し遅れて気が付くことが多い(通知表示後に、ユーザになんらかのアクションを行うタイプのユーザインタフェースの場合)
【０１５８】
[ユーザは気が付かない恐れ]
（確実性番号３−１）  上記どれにも当てはまらない
【０１５９】
ここでは、３個の大分類がされている例を示す。このような３分類を行うのは、上記した優先度１乃至５に設定されている条件において、“ユーザはすぐに気が付く”、“若干気付きにくい恐れ”、“気付かない恐れ“という条件があるからである。応答要求に含まれる優先度を満たすか否かを判断するとき、これらの３分類のいずれかに該当するかを判断することで行うことを可能とするために、ここでは、３分類してある例を挙げて説明を続ける。
【０１６０】
確実性番号１−１に設定されている条件は、“カメラ画像より、ユーザ本人が現在見ている(持続している)”という条件である。例えば、撮像機能がある装置において、応答要求を受信したときにユーザを撮像し、ユーザ本人が、装置前に居ると確認できれば、その装置で通知を行えば、確実に気付く可能性が高い。
【０１６１】
確実性番号１―２に設定されている条件は、“カメラ画像より、ユーザ本人が現在見ている(最近のみ)”という条件である。例えば、応答要求を受信した時点でなくても、それ以前に、カメラ画像によりユーザ本人が、装置の前に居たことが確認されていたのであれば、応答要求を受信した時点でも、まだその装置の前に居る可能性が高く、そのような装置で通知を行えば、確実に気付く可能性が高い。
【０１６２】
確実性番号１−３に設定されている条件は、“ユーザが現在操作をしている”である。ユーザの顔を撮像して、装置前に居るか否かを確認することはできないが、例えば、ユーザ本人のＩＤで、所定のサイトにログインした状態で、キーボードなどの操作部を操作しているなどが確認できれば、ユーザは、その装置の前にいる可能性が高く、そのような装置で通知を行えば、確実に気付く可能性が高い。
【０１６３】
確実性番号１−４は、“過去の履歴での判断で、ユーザがすぐに気が付くことが多い(通知表示後に、ユーザになんらかのアクションを行うタイプのユーザインタフェースの場合)”という条件である。例えば、電子メールを受信したという通知を行ったとき、その電子メールを開いたといったような履歴を取るようにし、そのような履歴から、ユーザがすぐに気が付くことが多かったと判断される場合には、この条件に該当すると判断される。
【０１６４】
確実性番号２−１は、“ユーザが最近操作をしている”という条件である。この条件は、確実性番号１−３に設定されている条件と似ているが、確実性番号１−３に設定されている条件は、“現在”操作していると判断される場合であり、確実性番号２−１に設定されている条件は、“最近”操作していたと判断される場合である点が異なる。“最近”とは、例えば、１５分以内の間など、応答要求が受信されたときから所定の時間前までの時間である。
【０１６５】
確実性番号２−２は、“過去の履歴での判断で、ユーザは少し遅れて気が付くことが多い(通知表示後に、ユーザになんらかのアクションを行うタイプのユーザインタフェースの場合)”という条件である。この条件は、確実性番号１−４に設定されている条件と似ているが、確実性番号１−４に設定されている条件は、“すぐに気が付く可能性が多い”と判断される場合であり、確実性番号２−２に設定されている条件は、“少し遅れて気が付くことが多い”と判断される場合である点が異なる。
【０１６６】
例えば、通知を行ってから、５分以内に気付いたという履歴は少ないが、１時間以内に気付いたという履歴は多いと判断されるときなど、確実性番号２-２の条件に該当すると判断される。
【０１６７】
確実性番号３−１は、確実性番号１-１乃至１−４、確実性番号２−１，２−２のいずれの条件も満たさないという場合に該当すると判断される条件である。
【０１６８】
ステップＳ１３５においては、確実性番号で設定されている条件のうちのいずれの条件を満たすか否かが判断され、満たすと判断された番号に対応するスコアが付与される。
【０１６９】
ステップＳ１３６において、条件判断部２１０（図５）は、応答要求の条件を満たすか否かを判断する。応答要求に含まれるのは、上記したように、優先度１乃至５のうちの、いずれかの優先度である。例えば、応答要求に優先度１という条件が含まれていた場合、優先度１に設定されている条件を満たすか否かが判断される。
【０１７０】
例えば、優先度１の条件は、“プライバシー情報表示可能、ユーザはすぐに気が付く”であるが、このうち、“プライバシー情報表可能”という条件を満たすか否かは、ステップＳ１３４において行われた判断結果が用いられる。すなわち、ステップＳ１３４において、表示可能番号１乃至３のいずれの条件も満たさないと判断されていた場合には、“プライバシー情報表示可能”という条件を満たさないと判断される。
【０１７１】
また、ステップＳ１３４において、表示可能番号１乃至３のいずれかの条件を満たすと判断されていた場合には、“プライバシー情報表示可能”という条件を満たすと判断され、“ユーザはすぐに気が付く”という条件がさらに満たされるか否かが判断される。
【０１７２】
“ユーザはすぐに気が付く”という条件を満たすか否かは、ステップＳ１３５において行われた判断結果が用いられる。すなわち、ステップＳ１３５において、確実性番号１−１乃至１−３のいずれの条件も満たさないと判断されていた場合には、“ユーザはすぐに気が付く”という条件を満たさないと判断される。
【０１７３】
また、ステップＳ１３５において、確実性番号１−１乃至１−３のいずれかの条件は満たされると判断されていた場合には、この場合、ステップＳ１３６において、応答要求の条件を満たすと判断され、ステップＳ１３７に処理が進められる。
【０１７４】
ステップＳ１３７において、応答要求を送ってきた装置に対して、スコアと共に、応答がなされる。例えば、上記した優先度１が満たされると判断された場合、表示可能番号１乃至３のいずれの条件を満たし、その番号に付与されているスコアが含まれ、確実性番号１−１乃至１−３のいずれの条件を満たし、その番号に付与されているスコアが含まれる返信が生成され、送信され、処理は終了される。
【０１７５】
一方、ステップＳ１３６において、応答要求の条件を満たさないと判断された場合、返信を行わずに、処理は終了される。
【０１７６】
このように、応答要求を受信した装置側においては、上記したようにして、応答要求に含まれる条件を満たすか否かを判断し、満たす場合には、条件を満たす度合いを表すスコアとともに応答を行う。
【０１７７】
図１２を参照して説明したように、イベントの発生を検知した装置側は、ステップＳ１１０において、応答してきた装置の中で、スコアが高い装置を選択するが、この選択の際に参照されるスコアは、図１３を参照して説明した処理において算出されるスコアである。
【０１７８】
なお、上記したように、イベントの発生を検知した側の装置において、応答要求に応える装置が無かった場合、優先度を変更して再度応答要求を出すため、応答要求を受信する側は、再度、応答要求に含まれる優先度の条件を満たすか否かを判断することになる。このような場合、図１３のフローチャートを参照して説明した処理が再度行われることになる。
【０１７９】
応答要求を受信した側は、例えば、所定の時間が経過するまでは、判断結果を保持するようにし、再度の応答要求（優先度が異なる応答要求）を受信したときには、その保持している判断結果を用いて、ステップＳ１３６の処理、すなわち、応答要求の条件を満たすか否かの判断を行うようにしても良い。
【０１８０】
＜第２の実施の形態におけるシステムの動作＞
さらには、上記した実施の形態においては、イベントを検知した側の装置が設定した優先度の条件を満たすか否かが判断され、満たす場合には返事するという形態であったが、自己がどの優先度の条件を満たし、その条件を満たすスコアは、どのくらいであるかを返事するようにしても良い。このような形態について、さらに説明を加える。
【０１８１】
図１４は、第２の実施の形態における図１に示したシステムにおいて実行される処理について説明するためのフローチャートである。図１４乃至図１６を参照した説明も、図１１乃至図１３を参照して説明した状況と同じ状況下で行われる処理を例に挙げて説明する。
【０１８２】
すなわち、図１４に示したフローチャートを参照した説明においては、携帯電話機２２がイベントの発生を検知し、そのイベント発生の通知をテレビジョン受像機２５で行う場合を例に挙げて説明する。また、図１１を参照して説明した処理と同様の処理を含むため、適宜、同様の処理については説明を省略する。
【０１８３】
携帯電話機２２は、ステップＳ２２１において、イベントの発生を検知する。例えば、電子メールが受信されたことをイベントとして検知する。携帯電話機２２は、イベントの発生を検知すると、ステップＳ２２２において、ネットワーク１０に接続されている装置に対して、応答要求を出す。
【０１８４】
図１４に示した例では、携帯電話機２２から、パーソナルコンピュータ２３、タブレット端末２４、およびテレビジョン受像機２５に応答要求が出される。詳細は、図１５のフローチャートを参照して後述するが、携帯電話機２２から出される応答要求には、通知先のユーザに関する情報は含まれるが、優先度に関する情報は含まれない。
【０１８５】
このような応答要求は、応答要求を出した装置自身、すなわちこの場合、携帯電話機２２にも出される。これは、携帯電話機２２も、通知を行う装置として適切であるか否かの判断を行うためである。
【０１８６】
携帯電話機２２は、自己が出した応答要求を受信し、ステップＳ２２３において、どのような条件を満たすのかを判断する。図１６を参照して後述するが、応答要求を受信した装置は、自己がどのような条件（優先度に該当する条件）を満たすか否かを判断し、満たす条件を含む返信を行う。
【０１８７】
パーソナルコンピュータ２３は、ステップＳ２３１において、携帯電話機２２からの応答要求を受信し、ステップＳ２３２において、どのような条件を満たすのかを判断する。
【０１８８】
タブレット端末２４は、ステップＳ２４１において、携帯電話機２２からの応答要求を受信し、ステップＳ２４２において、どのような条件を満たすのかを判断する。
【０１８９】
テレビジョン受像機２５は、ステップＳ２５１において、携帯電話機２２からの応答要求を受信し、ステップＳ２５２において、どのような条件を満たすのかを判断する。
【０１９０】
このように、応答要求を受信した装置は、それぞれ、自己がどのような条件を満たすか否かを判断する。そして、満たす条件を含む情報を生成し、応答する。
【０１９１】
パーソナルコンピュータ２３は、ステップＳ２３３において、携帯電話機２２に対して応答する。タブレット端末２４は、ステップＳ２４３において、携帯電話機２２に対して応答する。テレビジョン受像機２５は、ステップＳ２５３において、携帯電話機２２に対して応答する。
【０１９２】
携帯電話機２２は、ステップＳ２２４、ステップＳ２２５、ステップＳ２２６において、パーソナルコンピュータ２３、タブレット端末２４、およびテレビジョン受像機２５からの応答をそれぞれ受信する。携帯電話機２２は、自己の判断結果も取得している。
【０１９３】
ステップＳ２２７において、携帯電話機２２は、受信された返信に含まれる条件を満たす度合いを表すスコアを高い順にソートし、スコアの高い装置を選択する。選択される装置は、図６乃至図１０を参照して説明したように、その時点で、通知を行うのに適した装置であると判断される装置である。
【０１９４】
ここでは、携帯電話機２２のスコア、パーソナルコンピュータ２３のスコア、タブレット端末２４のスコア、テレビジョン受像機２５のスコアがそれぞれ取得され、テレビジョン受像機２５のスコアが最も高い値であったとして説明を続ける。このような場合、ステップＳ２２７においては、テレビジョン受像機２５が、ユーザに対する通知を行う装置として選択される。
【０１９５】
ステップＳ２２８において、携帯電話機２２は、選択した装置に対して、通知表示要求を出す。通知表示要求には、通知する内容、例えば、メールを受信したことを通知するためのメッセージや、プライバシーに関する情報も表示する場合には、件名といった情報も含まれる。
【０１９６】
テレビジョン受像機２５は、ステップＳ２５４において、携帯電話機２２からの通知表示要求を受信する。そして、テレビジョン受像機２５は、ステップＳ２５５において、携帯電話機２２からの通知表示要求に含まれる情報に基づき、ユーザに対する通知を行う。
【０１９７】
＜第２の実施の形態における端末の動作＞
図１５は、イベントを検知した端末が行う処理について説明するためのフローチャートである。ここでは、イベントを検知した端末は、携帯電話機２２であるとして説明を続ける。
【０１９８】
ステップＳ３０１において、携帯電話機２２は、イベント、例えば、電子メールの受信、予定の開始時刻などを検知する。
【０１９９】
ステップＳ３０２において、ユーザ特定情報生成部２０２（図５）により、ユーザ特定情報が生成される。このステップＳ３０２において生成されるユーザ特定情報は、通知を行う対象となるユーザを特定するための情報である。ステップＳ３０２における処理は、図１２のステップＳ１０３における処理と同様に行うことが可能である。
【０２００】
ステップＳ３０３において、応答要求生成部２０３（図５）は、ユーザ特定情報を含む応答要求を作成する。作成された応答要求は、送受信制御部２０６により、各装置に送信される。この場合、パーソナルコンピュータ２３、タブレット端末２４、およびテレビジョン受像機２５に対して、応答要求が送信される。
【０２０１】
ステップＳ３０４において、所定の時間だけ、待機状態とされる。この待機状態は、応答要求を送信した装置からの応答待ちの時間とされる。この待機状態中に、応答要求に対しての返事が受信される（ステップＳ３０５）。
【０２０２】
ステップＳ３０６において、スコア判定部２０４は、返事が来た装置のうちで、スコアの高い装置を検出し、その装置を、通知行う装置として設定する。なお、どの優先度に設定されている条件を満たすかの情報を参照し、優先度が高い条件を満たす装置が検出されるようにしても良い。通知を行う装置が設定されると、ステップＳ３０７に処理が進められる。
【０２０３】
ステップＳ３０７において、表示要求生成部２０５により、表示要求が生成される。この場合、表示要求に含まれる情報は、設定された装置からの返事に含まれていたスコアに応じて、プライバシー情報が含まれる、または含まれない情報とされる。
【０２０４】
例えば、“プライバシー情報表示可能”との条件に対するスコアが高ければ、プライバシー情報を含む表示要求の情報が生成され、そのスコアの装置に対して表示要求が出される。
【０２０５】
このようにしてイベントの発生を検知した装置は、そのイベントの発生をユーザに知らせるのに適した装置を選択するための処理を実行する。
【０２０６】
図１６を参照し、スコアの算出などについて説明を加える。ここでは、イベントの発生を検知した携帯電話機２２も、スコアを算出する処理を実行するため、換言すれば、ユーザに対する通知を行う装置として選択対象となるため、携帯電話機２２が行う処理として説明を続ける。
【０２０７】
ステップＳ３３１において、イベントの発生を検知した装置からの応答要求が来るのを待つ状態とされる。そして、イベントの発生を検知した装置からの応答要求が受信されると、ステップＳ３３２に処理が進められる。
【０２０８】
ステップＳ３３２において、マッチング処理部２０７（図５）により、通知先ユーザとのマッチングが行われる。例えば、応答要求には、電子メールアドレス、顔の特徴量などの情報が含まれている。電子メールアドレスは、ユーザＩＤとし、そのようなユーザＩＤと顔の特徴量が、応答要求に含まれている。ステップＳ３３２における処理は、図１３のフローチャートのステップＳ１３２の処理と同様に行うことが可能である。
【０２０９】
上述したように、ステップＳ１３２においては、マッチング番号１乃至３にそれぞれ設定されている条件のうち、どの条件を満たすか否かが判断された。ステップＳ３３２においても、マッチング番号１乃至３にそれぞれ設定されている条件のうち、どの条件を満たすかが判断される。そして、その判断に基づいたスコアが付与される。
【０２１０】
なお、上述した図１３に示したフローチャートの処理においては、ステップＳ１３３において、通知先ユーザと一致しないと判断された場合、換言すれば、マッチング番号１乃至３として設定されているいずれの条件も満たさないと判断された場合、応答要求に対して応答しないため、処理は終了されるとして説明をした。
【０２１１】
図１６に示したフローチャートの処理においても、同様に、ステップＳ３３２において、通知先ユーザと一致しないため、マッチング番号１乃至３として設定されているいずれの条件も満たさないと判断された場合、処理は終了されるようにしても良い。ここでは、他の例として、そのような装置であっても、応答するとして説明を続ける。
【０２１２】
第２の実施の形態によれば、このような装置であっても、他の装置よりもスコアが高く、このような装置がユーザへの通知を行う装置として選択される可能性がある。
【０２１３】
ステップＳ３３２において、マッチング番号１乃至３として設定されているいずれの条件も満たさないと判断された場合、マッチングにおけるスコアは０とされる。
【０２１４】
ステップＳ３３３において、プライバシー判断部２０８（図５）は、プライバシー情報の表示をできるかの判断を行う。プライバシー判断部２０８は、ステップＳ１３４（図１３）における処理と同様の処理により、表示可能番号１乃至３に設定されている条件のいずれかの条件を満たすか否かを判断する。
【０２１５】
ステップＳ３３３において、表示可能番号１乃至３のいずれかに設定されている条件を満たすか否かが判断され、満たすと判断された場合、その満たすと判断された番号に対応するスコアが付与される。なお、表示可能番号１乃至３に設定されているいずれの条件も満たさないと判断されたときには、プライバシー情報を表示することができるか否かに関するスコアは、０とされる。
【０２１６】
ステップＳ３３４において、確実性判断部２０９は、ユーザが確実に通知に気が付くかどうかの判断を行う。確実性判断部２０９は、ステップＳ１３５（図１３）における処理と同様の処理により、確実性番号に設定されている条件のいずれかの条件を満たすか否かを判断する。
【０２１７】
上述したステップＳ１３５においては、以下に示すような条件が設定されているとして説明をした。
【０２１８】
［ユーザは確実に気が付く］
（確実性番号１−１）  カメラ画像より、ユーザ本人が現在見ている(持続している)
（確実性番号１−２）  カメラ画像より、ユーザ本人が現在見ている(最近のみ)
（確実性番号１−３）  ユーザが現在操作をしている
（確実性番号１−４）  過去の履歴での判断で、ユーザがすぐに気が付くことが多い(通知表示後に、ユーザになんらかのアクションを行うタイプのユーザインタフェースの場合)
【０２１９】
[ユーザは若干気が付きにくい恐れ]
（確実性番号２−１）  ユーザが最近操作をしている
（確実性番号２−２）  過去の履歴での判断で、ユーザは少し遅れて気が付くことが多い(通知表示後に、ユーザになんらかのアクションを行うタイプのユーザインタフェースの場合)
【０２２０】
[ユーザは気が付かない恐れ]
（確実性番号３−１）  上記どれにも当てはまらない
【０２２１】
このように、３個の大分類がされている例を示して説明した。第２の実施の形態においても、このような分類がされているとして処理が行われるようにすることができる。例えば、このような場合、どの分類に該当し、どの条件を満たすかが判断され、該当する分類と、満たされる条件に対応するスコアが、返信に含まれる情報として生成される。このような処理は、第１の実施の形態と同じ処理である。
【０２２２】
第２の実施の形態の場合、分類はなくし、以下のように１分類にし、それぞれの確実性番号に対応するスコアが設定されるようにしても良い。
【０２２３】
（確実性番号１）  カメラ画像より、ユーザ本人が現在見ている(持続している)
（確実性番号２）  カメラ画像より、ユーザ本人が現在見ている(最近のみ)
（確実性番号３）  ユーザが現在操作をしている
（確実性番号４）  過去の履歴での判断で、ユーザがすぐに気が付くことが多い(通知表示後に、ユーザになんらかのアクションを行うタイプのユーザインタフェースの場合)
（確実性番号５）  ユーザが最近操作をしている
（確実性番号６）  過去の履歴での判断で、ユーザは少し遅れて気が付くことが多い(通知表示後に、ユーザになんらかのアクションを行うタイプのユーザインタフェースの場合)
【０２２４】
このように１分類とされ、確実性番号１乃至６に該当する条件が設定されている場合、ステップＳ３３４においては、確実性番号１乃至６のいずれの条件が満たされるかが判断される。そして、その判断結果に応じたスコアが、返信に含まれる情報として生成される。この場合、分類に関する情報は生成する必要が無く、返信に含ませる必要もないため、スコアだけが含まれれば良い。
【０２２５】
なお、確実性番号１乃至６に設定されているいずれの条件も満たさないと判断されたときには、ユーザが気付かない恐れがあるとして、スコアは、０とされる。
【０２２６】
ステップＳ３３２乃至Ｓ３３４において算出されたそれぞれのスコアは、ステップＳ３３５において、応答要求を送ってきた装置に対して送信される。送信されるスコアは、ステップＳ３３２乃至Ｓ３３４において算出された、マッチング度のスコア、プライバシー情報の表示に関するスコア、および気付く可能性のスコアを、それぞれ送信する。
【０２２７】
このように、応答要求を受信した装置側においては、上記したようにして、条件を満たす度合いを表すスコアを算出して、応答を行う。
【０２２８】
図１５を参照して説明したように、イベントの発生を検知した装置側は、ステップＳ３０６において、応答してきた装置の中で、スコアが高い装置を選択するが、この選択の際に参照されるスコアは、図１６を参照して説明した処理において算出されたスコアである。
【０２２９】
第２の実施の形態においても、第１の実施の形態と同じく、所定のイベントが発生したとき、そのイベントの発生を、ユーザに適切な装置で、かつプライバシーを保護した状態で、通知することが可能となる。
【０２３０】
＜第３の実施の形態におけるシステムの動作＞
第１の実施の形態と第２の実施の形態は、イベントの発生を検知した装置からの応答要求に応える装置には、悪意がないということを前提としている。仮に、イベントの発生を検知した装置からの応答要求に応える装置に悪意があった場合、故意に通知可能性やスコアなど、返信に含まれる情報を偽り、通知を行う装置に設定されるようにし、ユーザのプライバシー情報を盗み見るようにすることも可能である。
【０２３１】
このような悪意ある装置により、プライバシー情報が盗み見られないための手段を有し、第１の実施の形態や第２の実施の形態と同じく、所定のイベントが発生したとき、そのイベントの発生を、ユーザに適切な装置で、かつプライバシーを保護した状態で、通知を行うことについて、第３の実施の形態として説明を加える。
【０２３２】
図１７は、第３の実施の形態における図１に示したシステムにおいて実行される処理について説明するためのフローチャートである。図１７に示したフローチャートを参照した説明においては、携帯電話機２２がイベントの発生を検知し、そのイベント発生の通知をテレビジョン受像機２５で行う場合を例に挙げて説明する。
【０２３３】
携帯電話機２２は、ステップＳ４２１において、イベントの発生を検知する。例えば、電子メールが受信されたことをイベントとして検知する。携帯電話機２２は、イベントの発生を検知すると、ステップＳ４２２において、ネットワーク１０に接続されている装置に対して、応答要求を出す。
【０２３４】
図１７に示した例では、携帯電話機２２から、パーソナルコンピュータ２３、タブレット端末２４、およびテレビジョン受像機２５に応答要求が出される。この応答要求は、イベントの発生をユーザに通知するサービスを提供できる装置は応答してくるようにとの要求である。
【０２３５】
第３の実施の形態においては、第１、第２の実施の形態と異なり、応答要求には、ユーザを特定する情報や、優先度といった情報は含まれず、単に、サービスを提供できる装置は応答してくるようにという指示のみが含まれる要求とされる。よって、この時点で、通知対象とするユーザのプライバシーなどが漏れるようなことない。
【０２３６】
上記した第１の実施の形態や第２の実施の形態においては、このような応答要求は、応答要求を出した装置自身、すなわちこの場合、携帯電話機２２にも出されるとして説明した。第３の実施の形態においても、応答要求は、応答要求を出した装置自身にも出されるように構成することも可能であるし、第３の実施の形態においては、応答要求を出した装置自身には出されないように構成することも可能である。
【０２３７】
これは、イベントの発生を検知した時点で、プライバシー情報も含めて検知している可能性があり、また、イベントの発生を検知することができるため、そのイベントの発生をユーザに通知するサービスも提供できると考えられるからである。
【０２３８】
パーソナルコンピュータ２３は、ステップＳ４３１において、携帯電話機２２からの応答要求を受信し、ステップＳ４３２において、通知表示サービスを提供できるか否かを判断する。
【０２３９】
タブレット端末２４は、ステップＳ４４１において、携帯電話機２２からの応答要求を受信し、ステップＳ４４２において、通知表示サービスを提供できるか否かを判断する。
【０２４０】
テレビジョン受像機２５は、ステップＳ４５１において、携帯電話機２２からの応答要求を受信し、ステップＳ４５２において、通知表示サービスを提供できるか否かを判断する。
【０２４１】
このように、応答要求を受信した装置は、それぞれ、通知表示サービスを提供できるか否かを判断する。そして、通知表示サービスを提供できるか場合には、応答する。
【０２４２】
通知表示サービスを提供できるか否かの判断は、例えば、セキュアな通信を行えるか否か、他の処理を実行していても通知サービスを実行できるだけの処理能力に余裕がある状態であるか否か、表示デバイスを有し、通知することができるか否か、そのようなサービスを提供するためのアプリケーションなどを記憶しているか否かなどの条件を満たすか否かが判断されることにより行われる。
【０２４３】
ここでは、パーソナルコンピュータ２３とテレビジョン受像機２５が、通知表示サービスを提供できると判断したとして説明を続ける。
【０２４４】
パーソナルコンピュータ２３は、ステップＳ４３３において、携帯電話機２２に対して返信する。テレビジョン受像機２５は、ステップＳ４５３において、携帯電話機２２に対して返信する。タブレット端末２４は、通知表示サービスを提供できないと判断したため、携帯電話機２２に対する返信は行わない。
【０２４５】
携帯電話機２２は、ステップＳ４２３、ステップＳ４２４において、パーソナルコンピュータ２３とテレビジョン受像機２５からの返信をそれぞれ受信する。
【０２４６】
ステップＳ４２５において、携帯電話機２２は、返信をしてきた装置に対して、一覧送付要求を出す。この場合、パーソナルコンピュータ２３とテレビジョン受像機２５に、一覧送付要求が出される。一覧送付要求は、通知可能なユーザの一覧表の送付の要求である。この通知可能なユーザの一覧表について、図１８を参照して説明する。
【０２４７】
図１８は、一覧表の一例を示す図である。なお、図１８は、説明のため、見やすい形式で図示したが、実際には、コンピュータが処理するのに適した形式、例えば、JSON（Java（登録商標） Script Object Notation）, XML（Extensible Markup Language）, CSV（Comma-Separated Values）等の形式で記載された表である。
【０２４８】
一覧表は、項目として、“番号（No）”、“ユーザＩＤ”、“顔特徴量”、“プライバシー情報表示可否、スコア”、“確実に気が付くか、スコア”、“装置カテゴリ”を有する。
【０２４９】
“ユーザＩＤ”という項目には、例えば、電子メールアドレス（電子メールアドレスのユーザアカウントの部分）、ログイン時のＩＤなどが記載される。図１８に示した例では、電子メールアドレスのユーザアカウントの部分が記載されている例を示し、例えば、番号１のユーザＩＤの欄には、“Ａｂｃｄ”といった情報が書き込まれ、番号２のユーザＩＤの欄には、“Ｉｊｋｌ”といった情報が書き込まれ、番号３のユーザＩＤの欄には、“Ｑｒｓｔ”といった情報が書き込まれている。
【０２５０】
“ユーザＩＤ”という項目の欄には、複数のＩＤが記載されていても良い。例えば、電子メールアドレス、所定のサイトへのログインＩＤ、別のサイトへのログインＩＤなど、ユーザを特定できるＩＤが、複数記載されていても良い。また、書き込まれるユーザＩＤは、過去に装置が操作されたときに取得されたＩＤとすることができる。
【０２５１】
“顔特徴量”という項目には、ユーザの顔の特徴量が記載される。“顔特徴量”という項目の欄には、過去に取得された特徴量が書き込まれていても良い。図１８に示した例では、番号１乃至３が付与されているユーザのいずれも、顔特徴量が取得できていないため、“なし”との情報が記載されている。
【０２５２】
“プライバシー情報表示可否、スコア”という項目には、プライバシー情報の通知が可能な状態であるか否かの判断結果と、その判断結果に基づくスコアが記載される。この欄に記載される判断結果とスコアは、例えば、ステップＳ１３４（図１３）で実行される処理と同様の処理が行われることで取得される。
【０２５３】
すなわち、プライバシー情報を表示できるか否かの判断、換言すれば、上記した表示可能番号１乃至３に設定されている条件のうちの、どの条件が満たされるのかが判断され、その判断結果とスコアが、“プライバシー情報表示可否、スコア”という項目の欄に記載される。
【０２５４】
よって、この欄に記載される情報は、更新される必要があり、例えば、一覧送付要求を受信した時点で、このような判断がなされ、その判断結果が記載される。又、この判断は、ユーザＩＤが記載されているユーザ毎に行われる、対応する欄に、それぞれ判断結果とスコアが書き込まれる。
【０２５５】
図１８に示した例では、番号１のユーザに対しては、“表示可能、５０点”との判断結果とスコアが記載され、番号２と番号３のユーザに対しては、“表示不可能”との判断結果が記載されている。
【０２５６】
“確実に気が付くか、スコア”という項目には、ユーザが通知に気が付くか否かの判断結果と、スコアが記載される。この欄に記載される判断結果とスコアは、例えば、ステップＳ１３５（図１３）で実行される処理と同様の処理が行われることで取得される。
【０２５７】
すなわち、ユーザが通知に気が付くか否かの判断、換言すれば、上記した確実性番号に設定されている条件のうちの、どの条件が満たされるかが判断され、その判断結果とスコアが、“確実に気が付くか、スコア”という項目の欄に記載される。
【０２５８】
よって、この欄に記載される情報は、更新される必要があり、例えば、一覧送付要求を受信した時点で、このような判断がなされ、その判断結果が記載される。又、この判断は、ユーザＩＤが記載されているユーザ毎に行われる、対応する欄に、それぞれ判断結果とスコアが書き込まれる。
【０２５９】
図１８に示した例では、番号１のユーザに対しては、“若干気づきにくい、１００点”との判断結果とスコアが記載され、番号２と番号３のユーザに対しては、“気が付かない”との判断結果が記載されている。
【０２６０】
この場合、番号１のユーザに対しては、“ユーザは若干気が付きにくい恐れ”という分類の“確実性番号２−１  ユーザが最近操作をしている”という条件に該当すると判断された場合であるため、“若干気づきにくい、１００点”との判断結果とスコアが記載されている例である。
【０２６１】
“装置カテゴリ”の項目には、この一覧表を作成した装置（保持している装置）のカテゴリが記載される。図１８に示した例では、“小さな画面”との記載がされており、小さな画面を有する装置に分類される装置であることが読み取れる。
【０２６２】
この“装置カテゴリ”の項目に欄に記載されている情報に基づき、“プライバシー情報表示可否、スコア”や“確実に気が付くか、スコア”の項目の欄に記載されるスコアの値を増減しても良い。
【０２６３】
例えば、画面が大きい装置の場合、ユーザが気付く可能性が高いため、“確実に気が付くか、スコア”の項目のスコアを増加したスコアに変更したり、画面が小さい装置の場合、プライバシーを保ちやすいため、“プライバシー情報表示可否、スコア”の項目のスコアを増加したスコアに変更したりするといった処理が行われるようにしても良い。
【０２６４】
このような一覧表が、必要に応じ作成される。作成されるタイミングは、一覧送付要求を受信したとき、所定の周期毎、ユーザが近傍に居ると判断できるとき、何らかの操作が行われているときなどである。
【０２６５】
図１７に示したフローチャートの説明に戻り、ステップＳ４２５において、携帯電話機２２は、パーソナルコンピュータ２３とテレビジョン受像機２５に、一覧送付要求を出す。一覧送付要求の送付は、例えば、ＳＳＬなどのセキュアな通信で行われる。また後述するように、パーソナルコンピュータ２３やテレビジョン受像機１０から、一覧表が送付されてくるが、この送付も、ＳＳＬなどのセキュアな通信で行われる。
【０２６６】
一覧表には、ユーザＩＤなどのプライバシー情報が記載されているため、盗聴などにより、プライバシー情報が漏れることを防ぐために、セキュアな通信で送受信されるのが好ましい。また、上記したように、悪意のある装置が、一覧表を偽装してプライバシー情報を盗み取る可能性もあるため、そのようなことを防ぐためにも、セキュアな通信が行われることが好ましい。
【０２６７】
よってここでは、一覧送付要求が出されるときの通信と、一覧表が送受信されるときの通信は、セキュリティが保たれる通信で行われるとして説明を続ける。なお、後述するステップＳ４２９において、通知表示要求が出されるが、この通知表示要求も、セキュリティが保てる通信で行われるように構成することも可能である。
【０２６８】
パーソナルコンピュータ２３は、ステップＳ４３４において、携帯電話機２２からの一覧送付要求を受信すると、必要に応じ、図１８に示した一覧表を作成し、ステップＳ４３５において、一覧表を携帯電話機２２に送付する。
【０２６９】
同様に、テレビジョン受像機２５は、ステップＳ４５４において、携帯電話機２２からの一覧送付要求を受信すると、必要に応じ、図１８に示した一覧表を作成し、ステップＳ４５５において、一覧表を携帯電話機２２に送付する。
【０２７０】
携帯電話機２２は、ステップＳ４２６において、パーソナルコンピュータ２３から送信されてきた一覧表を受信し、ステップＳ４２７において、テレビジョン受像機２５からの送信されてきた一覧表を受信する。
【０２７１】
ステップＳ４２８において、携帯電話機２２は、受信した一覧表を参照し、スコアの高い装置を選択する。図２０を参照して詳細は後述するが、携帯電話機２２は、受信された一覧表のうち、通知対象とするユーザに関する情報を参照し、スコアが高い装置を選択する。
【０２７２】
ここでは携帯電話機２２のスコア、パーソナルコンピュータ２３のスコア、テレビジョン受像機２５のスコアが取得され、テレビジョン受像機２５のスコアが最も高い値であったとして説明を続ける。このような場合、ステップＳ４２８においては、テレビジョン受像機２５が、ユーザに対する通知を行う装置として選択される。
【０２７３】
ステップＳ４２９において、携帯電話機２２は、選択した装置に対して、通知表示要求を出す。通知表示要求には、通知する内容、例えば、メールを受信したことを通知するためのメッセージや、プライバシーに関する情報も表示する場合には、件名といった情報も含まれる。
【０２７４】
テレビジョン受像機２５は、ステップＳ４５６において、携帯電話機２２からの通知表示要求を受信する。そして、テレビジョン受像機２５は、ステップＳ４５７において、携帯電話機２２からの通知表示要求に含まれる情報に基づき、ユーザに対する通知を行う。
【０２７５】
このようにして通知を表示する装置を選択するので、悪意のある装置に対して、通知要求を出すようなことを防ぐことができ、プライバシー情報の流出を防ぐことが可能となる。
【０２７６】
＜第３の実施の形態における端末の機能＞
図１９は、図１７のフローチャートを参照して説明した処理を実行する端末、例えば携帯電話機２２の機能について説明するための図である。
【０２７７】
上記したように、図１に示したようなシステムにおいて、携帯電話機２２、パーソナルコンピュータ２３、タブレット端末２４、およびテレビジョン受像機２５のうちの１の装置が、例えば、所定のイベントの発生を検出した場合、携帯電話機２２、パーソナルコンピュータ２３、タブレット端末２４、およびテレビジョン受像機２５のうちのいずれかの装置に、イベントの発生をユーザに通知する表示がなされる。
【０２７８】
このようなことを実現するために、携帯電話機２２、パーソナルコンピュータ２３、タブレット端末２４、およびテレビジョン受像機２５のそれぞれは、図１９に示すような機能を有している。ここでは、図１９に示す機能を携帯電話機２２が有しているとして説明を続けるが、パーソナルコンピュータ２３、タブレット端末２４、およびテレビジョン受像機２５も有している。
【０２７９】
携帯電話機２２は、ユーザ特性情報生成部３０１、要求生成部３０２、スコア判定部３０３、表示要求生成部３０４、送受信制御部３０５、プライバシー判断部３０６、確実性判断部３０７、および一覧表生成部３０８を有している。
【０２８０】
このような機能を有する携帯電話機２２の動作について説明を加える。
【０２８１】
＜第３の実施の形態における端末の動作＞
図２０は、第３の実施の形態において、イベントを検知した端末が行う処理について説明するためのフローチャートである。ここでは、イベントを検知した端末は、携帯電話機２２であるとして説明を続ける。
【０２８２】
ステップＳ５０１において、携帯電話機２２は、イベント、例えば、電子メールの受信、予定の開始時刻などを検知する。
【０２８３】
ステップＳ５０２において、要求生成部３０２は、（図１９）は、通知表示サービスを提供できるのであれば、応答するようにとの指示を含む応答要求を作成する。作成された応答要求は、送受信制御部３０５により、各装置に送信される。この場合、パーソナルコンピュータ２３、タブレット端末２４、およびテレビジョン受像機２５に対して、応答要求が送信される。
【０２８４】
ステップＳ５０３において、所定の時間だけ、待機状態とされる。この待機状態は、応答要求を送信した装置からの応答待ちの時間とされる。この待機状態中に、応答要求に対しての返事が受信される（ステップＳ５０４）。
【０２８５】
ステップＳ５０５において、要求生成部３０２（図１９）は、返信してきた装置に対して、一覧送付要求を送信する。この場合、パーソナルコンピュータ２３とテレビジョン受像機２５に対して、一覧表示要求が送信される。
【０２８６】
ステップＳ５０６において、所定の時間だけ、待機状態とされる。この待機状態は、一覧送付要求を送信した装置からの応答待ちの時間とされる。この待機状態中に、一覧表が受信される（ステップＳ５０７）。
【０２８７】
ステップＳ５０８において、スコア判定部３０３（図１９）は、受信された一覧表を参照し、スコアが高い装置を、通知を表示する装置として選択する。装置が選択されるとき、一覧表が参照されるが、一覧表のうち参照されるのは、ユーザ特定情報生成部３０１で生成された通知対象とされるユーザ本人を特定するための情報に合致する情報である。
【０２８８】
例えば、図１８に示したような一覧表が受信され、ユーザ特定情報生成部３０１で生成された情報が“Ａｂｃｄ”であった場合、番号１の欄に記載されている情報のみが参照され、番号２や番号３の情報は参照されない。
【０２８９】
このように、イベントを検知した装置側で、通知対象とするユーザを特定し、そのユーザに通知できるか否かが、他の装置から供給された一覧表を参照することで判断される。一覧表が参照されることで、通知を行う装置が設定されると、ステップＳ５０９に処理が進められる。
【０２９０】
ステップＳ５０９において、表示要求生成部３０４（図１９）により、表示要求が生成される。この場合、表示要求に含まれる情報は、設定された装置からの一覧表に含まれていたスコアに応じて、プライバシー情報が含まれる、または含まれない情報とされる。
【０２９１】
例えば、“プライバシー情報表示可能”との条件に対するスコアが高ければ、プライバシー情報を含む表示要求の情報が生成される。
【０２９２】
このようにしてイベントの発生を検知した装置は、そのイベントの発生をユーザに知らせるのに適した装置を選択するための処理を実行する。
【０２９３】
図２１を参照し、一覧表を送付する側の装置の処理について説明を加える。ここでは、イベントの発生を検知した携帯電話機２２も、通知表示を行う装置となる可能性があり、一覧表を作成するため、携帯電話機２２が行う処理として説明を続ける。
【０２９４】
ステップＳ５３１において、イベントの発生を検知した装置からの応答要求が来るのを待つ状態とされる。そして、イベントの発生を検知した装置からの応答要求が受信されると、ステップＳ５３２に処理が進められる。
【０２９５】
ステップＳ５３２において、通知表示サービスを提供できるか否かが判断される。ステップＳ５３２において、通知表示サービスは提供できないと判断された場合、応答する必要がないため、図２１に示したフローチャートの処理は終了される。
【０２９６】
一方、ステップＳ５３２において、通知表示サービスを提供できると判断された場合、ステップＳ５３３に処理が進められ、応答要求を送信してきた装置に対して応答が行われる。応答が行われると、ステップＳ５３４に処理が進められる。
【０２９７】
ステップＳ５３４において、一覧送付要求が受信されるまで待機状態とされる。そして、一覧送付要求が受信されると、ステップＳ５３５において、一覧表が、一覧送付要求を送信してきた装置に対して送信される。
【０２９８】
一覧表が送信される前の時点、例えば、ステップＳ５３４において、一覧送付要求が受信されるまで待機状態とされているときに、プライバシー判断部３０６（図１９）により、プライバシー情報の表示が可能か否かが判断され、その判断結果とスコアが、一覧表に記載される。また、確実性判断部３０７（図１９）により、ユーザが通知に気が付くか否かが判断され、その判断結果とスコアが、一覧表に記載される。
【０２９９】
図２０を参照して説明したように、イベントの発生を検知した装置側は、ステップＳ５０８において、一覧表を送信してきた装置の中で、スコアが高い装置を選択するが、この選択の際に参照されるスコアは、図２１を参照して説明した処理において生成された一覧表に記載されているスコアである。
【０３００】
第３の実施の形態においても、第１の実施の形態や第２の実施の形態と同じく、所定のイベントが発生したとき、そのイベントの発生を、ユーザに適切な装置で、かつプライバシーを保護した状態で、通知を行うことが可能となる。また、第３の実施の形態においては、悪意のある装置にプライバシー情報を提供し、表示させてしまうようなことを防ぐことができる。
【０３０１】
＜第４の実施の形態における端末の動作＞
上記した第１乃至第３の実施の形態によれば、通知を表示する１台の装置が選択される例を挙げて説明したが、複数の装置が選択されるようにしても良い。例えば、画面が小さな装置が、通知を表示するのに適していると選択されたような場合、その装置で、イベントが発生したことを通知し、他の装置で、発生したイベントの内容を表示するようにすることも可能である。
【０３０２】
第４の実施の形態として、複数の装置を、通知を行う装置として選択する場合を例に挙げて説明する。複数の装置を選択する以外は、第１乃至第３の実施の形態と同様の処理により行うことが可能である。ここでは、第１の実施の形態で、複数の装置を選択する場合を例に挙げて説明する。
【０３０３】
図２２は、第４の実施の形態における処理を実行する端末の動作について説明するためのフローチャートである。通知を行う複数の装置を選択する処理は、イベントの発生を検知した装置側で行われる。
【０３０４】
図２２に示したフローチャートの処理は、図１２に示したフローチャートの処理に、ステップＳ６１１、ステップＳ６１２の処理を追加した処理となっている。すなわち、図２２のステップＳ６０１乃至Ｓ６１０とステップＳ６１３の処理は、図１２のステップＳ１０１乃至Ｓ１１１の処理と同様の処理として実行することが可能である。よって、ここでは、その説明を省略する。
【０３０５】
ステップＳ６１０において、スコアが最も高い装置が、通知を表示する装置として設定されると、ステップＳ６１１に処理が進められる。ステップＳ６１１において、選択された装置は、別の装置との併用が望ましいという条件に該当するか否かが判断される。
【０３０６】
このような判断ができるようにするために、例えば、応答要求に対する返信に、“別の装置との併用が望ましい”という情報（フラグ）が含まれるようにしても良い。返信を受信した側は、この返信に含まれる“別の装置との併用が望ましい”という情報（フラグ）を参照し、ステップＳ６１１における判断を行う。
【０３０７】
“別の装置との併用が望ましい”という条件に該当する装置には、例えば、眼鏡型端末（不図示）がある。眼鏡型端末は、表示領域が小さいため、表示可能な文字数、情報量に制限がある。このような表示できる情報量に制限のある装置が、通知する装置として選択された場合、例えば、“電子メールを受信しました”というメッセージの他に、件名、差出人といったプライバシー情報まで表示すると、制限を超えてしまう可能性がある。
【０３０８】
そこで、例えば、眼鏡型端末には、“電子メールを受信しました”というメッセージを表示させ、携帯電話機２２に、件名、差出人といったプライバシー情報が表示されるようにする。このように複数の端末で通知を行う場合の処理が含まれているのが、第４の実施の形態である。
【０３０９】
ステップＳ６１１において、選択された装置は、別の装置との併用が望ましいという条件に該当すると判断された場合、ステップＳ６１２に処理が進められる。ステップＳ６１２において、第２の通知先の装置が選択される。
【０３１０】
ステップＳ６１２における第２の通知先装置は、“プライバシー情報の表示が可能であり”、“別の装置との併用が望ましいに該当しない”装置である。“プライバシー情報の表示が可能である”との条件が満たされるか否かの判断は、上記した実施の形態における優先度１、優先度２、または優先度５に設定されている条件が満たされるか否かが判断されることで行うことができる。
【０３１１】
このような２つの条件が満たされる装置が、ステップＳ６１２において、第２の通知先の装置として選択される。
【０３１２】
なお、２つの条件が満たされる装置が検出できなかった場合には、第２の通知先の装置はないとして処理は進められる。
【０３１３】
ステップＳ６１２において、第２の通知先の装置が選択されると、ステップＳ６１３に処理が進められる。ステップＳ６１３において、通知の表示要求が、選択された装置に対して送信される。
【０３１４】
ステップＳ６１２から、ステップＳ６１３に処理が来た場合、すなわち、第２の通知先の装置が選択されたときには、第１の通知先の装置と第２の通知先の装置に、それぞれ表示要求が出される。このとき、上記したように、例えば、第１の通知先の装置には、イベントの発生を通知するメッセージの表示要求が出され、第２の通知先の装置には、プライバシー情報の表示要求が出される。
【０３１５】
一方、ステップＳ６１１において、選択された装置は、別の装置との併用が望ましいという条件に該当しないと判断された場合、ステップＳ６１２の処理はスキップされ、ステップＳ６１３に処理は進められる。
【０３１６】
ステップＳ６１１からステップＳ６１３に処理が来た場合、１台の装置が通知先の装置として選択されているときであるため、その装置に対して、表示要求が出される。
【０３１７】
このようにして、１または２台の装置が、通知先の装置として選択される。なおここでは、２台の装置が選択される例を挙げて説明を行ったが、２台に限らず、複数の装置が選択される場合に、第４の実施の形態は適用できる。
【０３１８】
このように、第４の実施の形態においても、所定のイベントが発生したとき、そのイベントの発生を、ユーザに適切な装置で、かつプライバシーを保護した状態で、通知を行うことが可能となる。
【０３１９】
本技術によれば、メールやメッセージなどの到着通知などのイベントが発生したときに、そのイベントの発生を、プライバシーに配慮し、プライバシー情報を表示できる状態であれば表示し、ユーザが確実に気付く可能性の高い端末での通知を可能となる。
【０３２０】
これにより、ユーザがコミュニケーションのタイミングを逸するなどの不利益を防ぐことができる。また、本人以外の人が通知を目にすることによる使用感の低下(邪魔に感じる)などを防ぐことも可能となる。
【０３２１】
＜記録媒体について＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０３２２】
例えば、図３に示したように構成されるパーソナルコンピュータ２３では、ＣＰＵ１０１が、例えば、記憶部１０８に記憶されているプログラムを、入出力インタフェース１０５及びバス１０４を介して、ＲＡＭ１０３にロードして実行することにより、上述した一連の処理が行われる。
【０３２３】
コンピュータ（ＣＰＵ１０１）が実行するプログラムは、例えば、パッケージメディア等としてのリムーバブルメディア１１１に記録して提供することができる。また、プログラムは、ローカルエリアネットワーク、インターネット、デジタル衛星放送といった、有線または無線の伝送媒体を介して提供することができる。
【０３２４】
コンピュータでは、プログラムは、リムーバブルメディア１１１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ＲＯＭ１０２や記憶部１０８に、予めインストールしておくことができる。
【０３２５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３２６】
また、本明細書において、システムとは、複数の装置により構成される装置全体を表すものである。
【０３２７】
なお、本明細書に記載された効果はあくまで例示であって限定されるものでは無く、また他の効果があってもよい。
【０３２８】
なお、本技術の実施の形態は、上述した実施の形態に限定されるものではなく、本技術の要旨を逸脱しない範囲において種々の変更が可能である。
【０３２９】
なお、本技術は以下のような構成も取ることができる。
【０３３０】
（１）
イベントの発生を検知した場合、前記イベントを通知するのに適した装置を検索する検索部と、
前記検索部により検索された装置に、通知する内容を供給する供給部と
を備える情報処理装置。
（２）
前記検索部は、プライバシー情報を表示できる状態にあり、ユーザが前記通知に気が付く可能性が高い装置を検索する
前記（１）に記載の情報処理装置。
（３）
前記検索部は、プライバシー情報の表示に係わる第１の条件とユーザが通知に気が付くか否かに係わる第２の条件を含む第３の条件を満たす場合には応答するという応答要求を検索対象となる装置に出し、
前記応答要求に対して応答してきた装置のなかから、前記第３の条件を満たすスコアが最も高い装置を、前記イベントを通知するのに適した装置として設定する
前記（１）または（２）に記載の情報処理装置。
（４）
前記第３の条件は、前記第１の条件と前記第２の条件の組み合わせにより複数設定されており、好ましい条件から優先度を割り当て、その優先度が高い順に、前記装置に応答要求を出し、
応答してきた装置がなかった場合、次の優先度の第３の条件で、応答要求を出す
前記（３）に記載の情報処理装置。
（５）
前記応答要求には、通知対象のユーザを特定するための情報も含まれる
前記（３）に記載の情報処理装置。
（６）
前記検索部は、通知対象のユーザを特定するための情報を検索対象となる装置に送信し、
前記装置から、プライバシー情報の表示に係わる第１の条件とユーザが通知に気が付くか否かに係わる第２の条件を含む条件を満たす度合いを表すスコアを受信し、
前記スコアが最も高い装置を、前記イベントを通知するのに適した装置として設定する
前記（１）または（２）に記載の情報処理装置。
（７）
前記検索部は、通知を行うことができるか否かの応答を要求する応答要求を、検索対象となる装置に出し、
前記応答要求に対して応答してきた装置に対して、プライバシー情報の表示に係わる第１の条件とユーザが通知に気が付くか否かに係わる第２の条件を含む条件を満たす度合いを表すスコアが書き込まれた表を受信し、
通知対象となるユーザに対する前記スコアが最も高い装置を、前記表を参照して検索し、前記イベントを通知するのに適した装置として設定する
前記（１）または（２）に記載の情報処理装置。
（８）
前記検索部は、検索された装置が、表示できる情報量に制約のある装置であった場合、さらに他の装置を検索し、
前記供給部は、複数の装置にそれぞれ通知する内容を供給する
前記（１）または（２）に記載の情報処理装置。
（９）
イベントの発生を検知した場合、前記イベントを通知するのに適した装置を検索し、
検索された装置に、通知する内容を供給する
ステップを含む情報処理方法。
（１０）
イベントの発生を検知した場合、前記イベントを通知するのに適した装置を検索し、
検索された装置に、通知する内容を供給する
ステップを含む処理をコンピュータに実行させるためのコンピュータ読み取り可能なプログラム。
（１１）
イベントの発生を検知した装置から、プライバシー情報の表示に係わる第１の条件とユーザが通知に気が付くか否かに係わる第２の条件を含む第３の条件を受信する受信部と、
前記第３の条件を満たすと判断した場合、前記第３の条件を満たす度合いを表すスコアを、前記装置に対して送信する送信部と、
前記装置から、通知する内容を受信した場合、ユーザに対する通知を行う通知部と
を備える情報処理装置。
（１２）
前記スコアは、プライバシー情報を表示できるか否かの度合いを表すスコアと、通知対象のユーザが前記通知に気が付く可能性の度合いを表すスコアを少なくとも含む
前記（１１）に記載の情報処理装置。
（１３）
前記受信部は、前記第３の条件は、前記第１の条件と前記第２の条件の組み合わせにより複数設定されており、好ましい条件から優先度が割り当てられており、その優先度が高い順に出された第３の条件を受信し、
応答した装置がなかった場合、次の優先度で出された第３の条件を再度受信する
前記（１１）または（１２）に記載の情報処理装置。
（１４）
イベントの発生を検知した装置から、プライバシー情報の表示に係わる第１の条件とユーザが通知に気が付くか否かに係わる第２の条件を含む第３の条件を受信し、
前記第３の条件を満たすと判断した場合、前記第３の条件を満たす度合いを表すスコアを、前記装置に対して送信し、
前記装置から、通知する内容を受信した場合、ユーザに対する通知を行う
ステップを含む情報処理方法。
（１５）
イベントの発生を検知した装置から、プライバシー情報の表示に係わる第１の条件とユーザが通知に気が付くか否かに係わる第２の条件を含む第３の条件を受信し、
前記第３の条件を満たすと判断した場合、前記第３の条件を満たす度合いを表すスコアを、前記装置に対して送信し、
前記装置から、通知する内容を受信した場合、ユーザに対する通知を行う
ステップを含む処理をコンピュータに実行させるためのコンピュータ読み取り可能なプログラム。
（１６）
イベントの発生を検知した装置から、前記イベントの発生を通知するユーザを特定するための情報を受信する受信部と、
プライバシー情報の表示に係わる第１の条件と、前記情報で特定されるユーザが通知に気が付くか否かに係わる第２の条件を満たす度合いをそれぞれ算出する算出部と、
前記算出部により算出されたスコアを送信する送信部と、
前記装置から、通知する内容を受信した場合、ユーザに対する通知を行う通知部と
を備える情報処理装置。
（１７）
イベントの発生を検知した装置から、前記イベントの発生を通知するユーザを特定するための情報を受信し、
プライバシー情報の表示に係わる第１の条件と、前記情報で特定されるユーザが通知に気が付くか否かに係わる第２の条件を満たす度合いをそれぞれ算出し、
算出されたスコアを送信し、
前記装置から、通知する内容を受信した場合、ユーザに対する通知を行う
ステップを含む情報処理方法。
（１８）
イベントの発生を検知した装置から、前記イベントの発生の通知を行うことができるか否かの応答要求を受信する受信部と、
前記通知を行うことができる場合、前記応答要求に対して応答する応答部と、
前記応答の結果、プライバシー情報の表示に係わる第１の条件と、所定のユーザが通知に気が付くか否かに係わる第２の条件を満たす度合いをそれぞれ算出したスコアが書き込まれた表を作成する作成部と、
前記作成部により作成された前記表を前記装置に対して送信する送信部と、
前記装置から、通知する内容を受信した場合、ユーザに対する通知を行う通知部と
を備える情報処理装置。
（１９）
イベントの発生を検知した装置から、前記イベントの発生の通知を行うことができるか否かの応答要求を受信し、
前記通知を行うことができる場合、前記応答要求に対して応答し、
前記応答の結果、プライバシー情報の表示に係わる第１の条件と、所定のユーザが通知に気が付くか否かに係わる第２の条件を満たす度合いをそれぞれ算出したスコアが書き込まれた表を作成し、
作成された前記表を前記装置に対して送信し、
前記装置から、通知する内容を受信した場合、ユーザに対する通知を行う
ステップを含む情報処理方法。
（２０）
イベントの発生を検知した装置から、前記イベントの発生の通知を行うことができるか否かの応答要求を受信し、
前記通知を行うことができる場合、前記応答要求に対して応答し、
前記応答の結果、プライバシー情報の表示に係わる第１の条件と、所定のユーザが通知に気が付くか否かに係わる第２の条件を満たす度合いをそれぞれ算出したスコアが書き込まれた表を作成し、
作成された前記表を前記装置に対して送信し、
前記装置から、通知する内容を受信した場合、ユーザに対する通知を行う
ステップを含む処理をコンピュータに実行させるためのコンピュータ読み取り可能なプログラム。
【符号の説明】
【０３３１】
２０１  優先度決定部，  ２０２  ユーザ特定情報生成部，  ２０３  応答要求生成部，  ２０４  スコア判定部，  ２０５  表示要求生成部，  ２０６  送受信制御部，  ２０７  マッチング処理部，  ２０８  プライバシー判断部，  ２０９  確実性判断部，  ２１０  条件判断部
【図１】
2015194803.tif 000003
【図２】
2015194803.tif 000004
【図３】
2015194803.tif 000005
【図４】
2015194803.tif 000006
【図５】
2015194803.tif 000007
【図６】
2015194803.tif 000008
【図７】
2015194803.tif 000009
【図８】
2015194803.tif 000010
【図９】
2015194803.tif 000011
【図１０】
2015194803.tif 000012
【図１１】
2015194803.tif 000013
【図１２】
2015194803.tif 000014
【図１３】
2015194803.tif 000015
【図１４】
2015194803.tif 000016
【図１５】
2015194803.tif 000017
【図１６】
2015194803.tif 000018
【図１７】
2015194803.tif 000019
【図１８】
2015194803.tif 000020
【図１９】
2015194803.tif 000021
【図２０】
2015194803.tif 000022
【図２１】
2015194803.tif 000023
【図２２】
2015194803.tif 000024